(57)【要約】  構成可能な吸収性物品が提供される。吸収性物品は、トップシートと、バックシートと、トップシートとバックシートとの中間に少なくとも部分的に位置付けられた吸収性コアと、を備えてもよい。吸収性物品は、第１の腰部領域と、第２の腰部領域と、第１の腰部領域と第２の腰部領域との中間に延在する股部領域と、バックシートに接合され、吸収性物品の衣類対向面の一部を形成する、外側カバー材料と、を備えてもよい。吸収性物品は、レッグカフ及び１つ以上の完全に取り外し可能な締着部材を含んでもよい。締着部材は、締着部材の第１の表面に、第１の端部に近接して位置付けられた、第１の締着部と、第１の表面に、第２の端部に近接して位置付けられた第２の締着部と、を含んでもよい。
2020531113.tif 000002
【特許請求の範囲】
【請求項１】
吸収性物品であって、
横方向中心軸線と、
長手方向中心軸線と、
液体透過性トップシートと、
液体不透過性バックシートと、
前記液体透過性トップシートと前記液体不透過性バックシートとの中間に少なくとも部分的に位置付けられた吸収性コアと、
前記横方向中心軸線の第１の側の第１の腰部領域と、
前記横方向中心軸線の第２の側の第２の腰部領域と、
前記第１の腰部領域と前記第２の腰部領域との中間に延在する股部領域と、
前記バックシートに接合され、前記吸収性物品の衣類対向面の一部を形成する外側カバー材料と、
一対のレッグカフと、
調節可能な腰部外周と、
前記長手方向中心軸線の第１の側で前記第１の腰部領域を前記第２の腰部領域に接合するように構成された、第１の完全に取り外し可能な締着部材であって、
第１の表面と、
前記第１の表面の反対側の第２の表面と、
第１の端部と、前記第１の端部の反対側の第２の端部と、
前記第１の表面上の第１の締着部であって、前記第１の端部に近接して位置付けられた第１の締着部と、
前記第１の表面上の第２の締着部であって、前記第２の端部に近接して位置付けられた第２の締着部と、を有する、第１の完全に取り外し可能な締着部材と、
前記長手方向中心軸線の第２の側で前記第１の腰部領域を前記第２の腰部領域に接合するように構成された第２の完全に取り外し可能な締着部材であって、
第３の表面と、
前記第３の表面の反対側の第４の表面と、
第３の端部と、
前記第３の端部の反対側の第４の端部と、
前記第３の表面上の第３の締着部であって、前記第３の端部に近接して位置付けられた第３の締着部と、
前記第３の表面上の第４の締着部であって、前記第４の端部に近接して位置付けられた第４の締着部と、を有する、第２の完全に取り外し可能な締着部材と、を備え、
前記調節可能な腰部外周が、前記第１及び第２の完全に取り外し可能な締着部材の少なくとも一方を使用して、約７０ｍｍ〜約３００ｍｍの範囲の着用者の腰部又は臀部の外周に適合するように構成されている、吸収性物品。
【請求項２】
前記調節可能な腰部外周が、前記第１及び第２の完全に取り外し可能な締着部材の少なくとも一方を使用して、約７０ｍｍ〜約２７４ｍｍの範囲の着用者の腰部又は臀部の外周に適合するように構成されている、請求項１に記載の吸収性物品。
【請求項３】
前記調節可能な腰部外周が、前記第１及び第２の完全に取り外し可能な締着部材の少なくとも一方を使用して、約１００ｍｍ〜約２００ｍｍの範囲の着用者の腰部又は臀部の外周に適合するように構成されている、請求項１又は２に記載の吸収性物品。
【請求項４】
前記調節可能な腰部外周が、前記第１及び第２の完全に取り外し可能な締着部材を使用して、約１００ｍｍ〜約２００ｍｍの範囲の着用者の腰部又は臀部の外周に適合するように構成されている、請求項１〜３のいずれか一項に記載の吸収性物品。
【請求項５】
前記第１の締着部が、約０．０００１ｍ２〜約０．０００５ｍ２の範囲の面積を有する、請求項１〜４のいずれか一項に記載の吸収性物品。
【請求項６】
前記第１の完全取り外し可能な締着部材の長さと、前記吸収性物品の全長との比が、約０．７５〜約０．２の範囲である、請求項１〜５のいずれか一項に記載の吸収性物品。
【請求項７】
前記第１の完全取り外し可能な締着部材の幅と、前記吸収性物品の全長との比が、約０．２５〜約０．５の範囲である、請求項１〜６のいずれか一項に記載の吸収性物品。
【請求項８】
前記第１の完全取り外し可能な締着部材の幅と、前記吸収性物品の全長との比が、約０．６０〜約１．０の範囲である、請求項１〜７のいずれか一項に記載の吸収性物品。
【請求項９】
前記第１の締着部の長さと、前記吸収性物品の全長との比が、約０．５〜約０．１８の範囲である、請求項１〜８のいずれか一項に記載の吸収性物品。
【請求項１０】
前記第１の締着部の幅と、前記吸収性物品の全幅との比が、約０．１〜約０．２の範囲である、請求項１〜９のいずれか一項に記載の吸収性物品。
【請求項１１】
前記第１の締着部、前記第２の締着部、前記第３の締着部、及び前記第４の締着部の面積の総和と、前記吸収性物品の総面積との比が、約０．０７〜約０．１５の範囲である、請求項１〜１０のいずれか一項に記載の吸収性物品。
【請求項１２】
前記第１の締着部の面積と、前記吸収性物品の面積との比が、約０．０１５〜約０．０４の範囲である、請求項１〜１１のいずれか一項に記載の吸収性物品。
【請求項１３】
前記第１の完全取り外し可能な締着部材の面積と、前記吸収性物品の面積との比が、約０．１１〜約０．１５の範囲である、請求項１〜１２のいずれか一項に記載の吸収性物品。
【請求項１４】
前記第１の完全に取り外し可能な締着部材が、第１の不織布材料、第２の不織布材料、及び、前記第１の不織布材料と前記第２の不織布材料との中間に少なくとも部分的に位置付けられた有孔弾性材料を含む、請求項１〜１３のいずれか一項に記載の吸収性物品。
【請求項１５】
本明細書に記載の折り畳み股幅試験に従って、約３５ｍｍ未満の折り畳み股幅を有する、請求項１〜１４のいずれか一項に記載の吸収性物品。
【発明の詳細な説明】
【技術分野】
【０００１】
本開示は、取り外し可能な締着部材を有する構成可能な吸収性物品に関する。
【背景技術】
【０００２】
吸収性物品は、乳児、子供、及び成人における排泄物（例えば、尿、排便）を含有させるために使用される。吸収性物品は、乳児、未熟児、及び／又は新生児薬物離脱症候群（「ＮＡＳ」）の乳幼児におむつを着けるために病院で使用することができる。未熟児、ＮＡＳの乳幼児、又は他の小さな乳児は、看護者及び他の病院スタッフによる特別なケアを必要とする場合がある。これらの乳幼児は、多くの場合、換気装置、栄養管、又は他の生命維持システム若しくはモニタリングシステムと繋がっている。場合によっては、乳幼児は、アイソレットとしても知られる保育器の中に入れられる場合がある。乳幼児は、典型的には、保護を必要とする非常に繊細な皮膚を有するために、高湿度、無菌環境に保たれている。これらの未熟児の健康に対して、触れられ過ぎず、高度な無菌環境において維持されていることが重要である。乳幼児に触れ過ぎると、ストレスを生じさせる場合がある。未熟児又はＮＡＳの乳幼児のための現在の吸収性物品は、使用が多少困難であり、超未熟児にとって、特に股部領域において大き過ぎる。現在の吸収性物品が、横方向軸線を中心に折り畳まれると、典型的には、矩形又は略矩形形状をとり、これにより、広い股部領域を提供している。また、未熟児及びＮＡＳの乳幼児のための現在の吸収性物品は、排泄物の優れた収容及び排泄物からの皮膚の保護を提供していない。更に、現在の吸収性物品は、締着部システムとの完全な柔軟性を提供しない。未熟児又はＮＡＳの乳幼児は、型にはまらない締着システムの要求条件から恩恵を受ける可能性がある。更に、現在の吸収性物品は、未熟児又はＮＡＳの乳幼児の介護者が有益であると考えることができる特徴のすべてを提供しているわけではない。このように、未熟児、ＮＡＳの乳幼児、その他の乳幼児、その他の着用者のための吸収性物品を改善する必要がある。
【発明の概要】
【課題を解決するための手段】
【０００３】
本開示は、未熟児及びＮＡＳの乳幼児（及び他の小さい乳幼児、他の乳幼児、又は他の着用者）に好適な、構成可能な吸収性物品を提供する一方、本開示は、任意の特定のサイズ又は使用に限定されない。上述したように、現在の吸収性物品に関する１つの問題は、吸収性物品が未熟児又はＮＡＳの乳幼児の特定のニーズに対して構成されておらず、場合によっては、看護者の所望以上にこれらの乳幼児に触れるように看護者を強制していることである。本開示の取り外し可能な締着部材を有する構成可能な吸収性物品は、例えば、非常に狭い股部領域、狭い脚周り領域、小さな全体寸法、柔軟な皮膚接触面、（可逆性吸収性物品を生成するためのいくつかの形態では）前後臍帯切り欠き部、（可逆性吸収性物品を生成するためのいくつかの形態では）前後可逆性臍帯突起部、（看護者が必要に応じて吸収性物品を構成し、締着可撓性を有することができる）別個の取り外し可能な締着部材、１つ以上の湿りガード、並びに／又は低不透明性外側カバー不織布及び／若しくはバックシートを提供することによって、現在の未熟児及び／又はＮＡＳの乳幼児用の吸収性物品の不利益を解決する。別個の取り外し可能な締着部材は、締着部材の中にスロット又は開口部が形成されていてもよく、未熟児又はＮＡＳの乳幼児の健康を補助又は監視するために使用される管又はホースを、乳幼児を煩わせることなく、又は乳幼児を移動させる必要なく、スロット又は開口部を通って挿入することができる。これらのスロット又は開口部はまた、管又はホースを適所に保持するよう援助することができる。低不透明性バックシート及び／又は外側カバー不織布材料は、乳幼児を移動させる必要なしに、いつ吸収性物品を交換する必要があるかを識別するのに有益であり得る。いくつかの形態では、本開示の構成可能な吸収性物品は、別個の取り外し可能な締着部材により、締着部材がなくても使用が可能であり得る。これは、場合によっては、看護者により所望され得、乳幼児に触れるか又は乳幼児を移動させる必要性が減少され得る。更に、本開示の吸収性物品は、看護者が所望どおりに又は必要に応じて、吸収性物品を適用することができるように可逆性であってもよい。吸収性物品の吸収性コアにおける吸収性材料は、可逆的使用を可能にするために均質であってもよい。更に、吸収性コアは、股部領域を狭め、更に多くの適合のための選択肢及び脚の置き場を提供することを援助するように、延在した砂時計形状を有してもよい。
【０００４】
本開示の吸収性物品は、１つ以上の湿りガードを備えていてもよい。湿りガードは、フィルム又は不織布材料のような１種以上の液体不透過性材料と、１種以上の不織性材料のような１種以上の非フィルム材料と、を含んでもよい。湿りガードは、乳幼児の腰背部、腰、及び／又は脚に接触する吸収性物品の領域内に位置付けられてもよいが、乳幼児の股領域が吸収性物品に接触する場所には位置付けることはできない。快適性を提供するように、非フィルム材料を乳幼児の方へ向けながら、液体不透過性材料を乳幼児から離れる方向に向けてもよい。湿りガードは、少なくとも２つの機能を遂行することができる。第１に、乳幼児が排尿すると、尿は、典型的には、吸収性コアへの進入点から離れる方向に（横方向及び長手方向の両方に）吸収性コア全体にわたって運ばれる。これにより、乳幼児の腰背部、腰、及び／又は脚が濡れる吸収パッドの領域が生じ得る。湿りガードは、湿潤領域と、乳幼児の腰背部、腰、及び／又は脚との間にバリアを提供し、これにより、乳幼児の改善された皮膚の健康がもたらされる。第２に、湿りガードは、乳幼児の皮膚に面する柔軟な非フィルム材料を含むことができる。このようにして、乳幼児の腰背部、腰、及び／又は脚は、柔軟で快適な材料の上に据えられ、再び、改善された皮膚の健康をもたらすことができる。
【０００５】
完全に取り外し可能な締着部材は、介護者が任意の向き及び／又は任意の角度で必要に応じて締着部を取り付け、また、取り外すことを可能とし得る。例えば、完全に取り外し可能な締着部材は、それ自体に（又は、重なり合う締着部の場合、互いに）取り付けることができ、又は構成可能な吸収性物品の衣類対向面の任意の部分に、また、構成可能な吸収性物品の衣類対向面の他の任意の部分に取り付けることができる。これにより、吸収性物品が、未熟児又はＮＡＳの乳幼児に締着される様々な状況に対する高い柔軟性が介護者に提供されるが、これは従来のテープ型おむつとは、大きく異なり得る。完全に取り外し可能な締着部材は、乳児を動かさない取り付けを可能にする一定の伸張特性を有することができる。例えば、吸収性物品の後側腰部領域に、取り外し可能に既に取り付けられた第１の締着部を既に有する完全に取り外し可能な締着部材が提供される場合、第２の締着部を締着することができるように、介護者は、取り外し可能な締着部材を伸張させる必要が生じる場合がある。取り外し可能な締着部材は、締着部に引張力が加えられた際に乳幼児が動かない、又は滑らないように充分な伸縮性を有する必要がある。別の言い方をすれば、取り外し可能な締着部材は、介護者が乳幼児を動揺させる、又は滑らせることなく、取り外し可能な締着部材を容易に引っ張って第２の締着部を締着することができるように、わずかな力で大きな伸縮を可能とするものでなければならない。伸縮性以外に、取り外し可能な締着部材は、特定の構成において、乳児着用者の皮膚を保護するため、締着部と皮膚との接触を防止するか、又は少なくとも抑制する長さを有することができる。
【０００６】
更に、締着部材が必要に応じて取り外し可能、かつ、取り付け可能であることにより、サイズの異なる乳幼児の腰部又は臀部の外周が、同じ吸収性物品と適切に適合することができる。別の言い方をすれば、１個又は２個の完全に取り外し可能な締着部材を備えた本開示の吸収性物品によれば、吸収性物品の腰部開口部を極めて小さいサイズからより大きなサイズへと、大幅に調節することが可能である。このことは、これらの乳児が多様な発育の大きさであり、様々な条件において様々な腰部開口部の要件を有するという点で、未熟児及びＮＡＳの乳児との関連で重要である。
【０００７】
未熟児及びＮＡＳの乳幼児用の吸収性物品は、乳児に適切なフィット感及び快適性を提供するための特定の要件を有している。未熟児及びＮＡＳ乳幼児用の吸収性物品の製造は、従来のおむつを単純に小型にすることに留まらない。実際に、本発明者らは、様々な製品要素の特定の比が、本開示の取り外し可能な締着部材と組み合わされることで、より良好なフィット性を提供する一方で、なおも乳児に快適性を提供することを見出したものである。
【０００８】
本開示の構成可能な吸収性物品のこれらの利点及びその他の利点について、本明細書により詳細に記載する。
【０００９】
多様な吸収性物品は、パッケージ内に配置されていてもよい。パッケージは、アレイ又はオンラインアレイ（on-line array）において販売されてもよい。
【図面の簡単な説明】
【００１０】
本明細書は、本発明を構成すると見なされる主題を具体的に指摘し、かつ、明確に主張する特許請求の範囲を結論とするが、本発明は、添付の図面と関連してなされた以下の説明によって更に理解されると考えられ、添付の図面において参照符号が、実質的に同一の要素を示すために用いられている。
【図１】本開示の例示的な吸収性物品（absorbent）の平面図である。
【図２】着用者対向面を観者に向けた状態の、本開示の例示的な吸収性物品の平面図である。
【図３】衣類対向面を観者に向けた状態の、図２の吸収性物品の平面図である。
【図４】線４−４を中心に得られた図２の吸収性物品の断面図である。
【図５】延在した砂時計形状を有する、本開示の吸収性物品のための例示的な吸収性コアの平面図である。
【図６】着用者対向面を観者に向けた状態の、本開示の別の吸収性物品の平面図である。
【図７】本開示の別個の締着部材を含む例示的な吸収性物品の左側面図である。
【図８】別個の締着部材を含まない、本開示の例示的な吸収性物品の別の左側面図である。
【図９】股部狭窄接合部によって作られた股部の折り目を含む、本開示の例示的な吸収性物品の斜視図である。
【図９Ａ】本開示の例示的な吸収性物品（absorbent）の平面図である。
【図１０】股部切り欠き部を示す本開示の例示的な吸収性物品の平面図である。
【図１１】着用者対向面を観者に向けた状態であり、２つの湿りガードを含む、本開示の例示的な吸収性物品の平面図である。
【図１２】着用者対向面を観者に向けた状態であり、湿りガードを示す、本開示の例示的な吸収性物品の斜視図である。
【図１３】着用者対向面を観者に向けた状態であり、２つの湿りガードの構成を示す、本開示の例示的な吸収性物品の平面図である。
【図１４】着用者対向面を観者に向けた状態であり、２つの湿りガードの構成を示す、本開示の例示的な吸収性物品の平面図である。
【図１５】図１４の吸収性物品と共に使用するための例示的な別個の湿りガードの平面図である。
【図１６】着用者対向面を観者に向けた状態であり、２つの湿りガードの構成を示す、本開示の例示的な吸収性物品の平面図である。
【図１７】図１６のスリーブタイプの湿りガードが、吸収性物品の一部を取り囲む方法の模式図である。
【図１８】衣類対向面を観者に向けた状態の、本開示の吸収性物品のための別個の締着部材の一例の平面図である。
【図１９】着用者対向面を観者に向けた状態の、本開示の吸収性物品のための別個の締着部材の一例の平面図である。
【図２０】図１９の線２０−２０を中心に得られた別個の締着部材の断面図である。
【図２１】衣類対向面を観者に向けた状態の、本開示の吸収性物品のための別個の締着部材の一例の平面図である。
【図２２】着用者対向面を観者に向けた状態の、本開示の吸収性物品のための別個の締着部材の一例の平面図である。
【図２３】臍帯切り欠き部を有する、本開示の例示的な吸収性物品の平面図である。
【図２４】衣類対向面を観者に向けた状態の、図２３の例示的な吸収性物品の平面図である。
【図２５】臍帯突起部を有する、本開示の例示的な吸収性物品の平面図である。
【図２６】衣類対向面を観者に向けた状態の、図２５の例示的な吸収性物品の平面図である。
【図２７】衣類対向面を観者に向けた状態の、グラフィック及び／又は印を示す吸収性物品の模式図である。
【図２８】衣類対向面を観者に向けた状態の、グラフィック及び／又は印を示す吸収性物品の模式図である。
【図２９】衣類対向面を観者に向けた状態の、グラフィック及び／又は印を示す吸収性物品の模式図である。
【図３０】吸収性物品の着用者対向面に位置付けられたインサートの一例の平面図である。
【図３１】吸収性物品と共に使用するための例示的なインサートの平面図である。
【図３２】図３１の線３２−３２を中心に得られたインサートの断面例示図である。
【図３２Ａ】図３１の線３２Ａ−３２Ａを中心に得られたインサートの他の断面例示図である。
【図３３】吸収性物品と共に使用するための別の例示的なインサートの平面図である。
【図３４】吸収性物品と共に使用するための別の例示的なインサートの平面図である。
【図３５】着用者対向面を観者に向けた状態の、例示的な吸収性物品の平面図である。
【図３６】例示的な吸収性物品の斜視側面の写真である。
【図３７】吸収性物品の吸収性コアの例示的な平面図である。
【図３８】吸収性物品の吸収性コアの例示的な平面図である。
【図３９】１個の取り外し可能な締着部材が取り付けられた吸収性物品の腰部開口部の外周の平面図である。
【図４０】１個の取り外し可能な締着部材が取り付けられた吸収性物品の腰部開口部の外周の平面図である。
【図４１】１個の取り外し可能な締着部材が取り付けられた吸収性物品の腰部開口部の外周の平面図である。
【図４２】２個の取り外し可能な締着部材が取り付けられた吸収性物品の腰部開口部の外周の平面図である。
【図４２Ａ】２個の取り外し可能な締着部材が取り付けられた吸収性物品の腰部開口部の外周の平面図である。
【図４３】２個の取り外し可能な締着部材が取り付けられた吸収性物品の腰部開口部の外周の平面図である。
【図４４】締着部を有する取り外し可能な締着部材の一部の一例の平面図である。
【図４５】図４４の締着部を受けるように構成された別個のランディングゾーンの一例の平面図である。
【図４６】締着部を有する取り外し可能な締着部材の一部の一例の平面図である。
【図４７】図４６の締着部を受けるように構成された別個のランディングゾーンの一例の平面図である。
【図４８】締着部を有する取り外し可能な締着部材の一部の一例の平面図である。
【図４９】図４８の締着部を受けるように構成された別個のランディングゾーンの一例の平面図である。
【発明を実施するための形態】
【００１１】
本明細書で開示される取り外し可能な締着部材を有する構成可能な吸収性物品の構造、機能、製造、及び使用の原理についての全体的な理解を与えるため、本開示の様々な非限定的な形態を以下で説明される。これらの非限定的な形態の１つ以上の実施例を添付の図面に示す。当業者であれば、本明細書において具体的に記載され、かつ添付の図面で例示される取り外し可能な締着部材を有する構成可能な吸収性物品は、非限定的な例示的形態であり、本開示の種々の非限定的な形態の範囲は、特許請求の範囲によってのみ定義されることを理解するであろう。１つの非限定的な形態に関して図示又は説明される特徴は、他の非限定的な形態の特徴と組み合わせることができる。そのような修正及び変形は、本開示の範囲内に含まれるものとする。
【００１２】
本明細書で使用するとき、「接合」及び「接合した」という用語は、ある要素を他の要素に直接付着することによって、その要素が別の要素に直接固着される構成、並びに、ある要素を中間部材（複数を含む）に付着して、その中間部材を他の要素に付着することによって、その要素が別の要素に間接的に固着される構成を包含する。
【００１３】
本明細書で使用するとき、「アレイ（array）」という用語は、同様の物品構造を有するサイズの異なる使い捨て吸収性物品を含むパッケージのディスプレイを意味する。吸収性物品のためのパッケージは、同一のブランド及び／又はサブブランドを有し、小売店の所定のエリアにおいて互いに近接して配向される。アレイは、顧客に、異なる個々のパッケージがより大規模なラインナップの一部分であることを伝える類似のパッケージ要素（例えば、パッケージの材料種類、フィルム、紙、主要色、デザインテーマなど）を通常有する製品ラインアップとして市販されている。アレイは、多くの場合、例えば「Ｐａｍｐｅｒｓ（登録商標）」などの同一のブランドを有する。他の例では、アレイは、例えば、「Ｐａｍｐｅｒｓ（登録商標）」及び「Ｌｕｖｓ（登録商標）」などの同一の製造者からのブランドを有することができる。
【００１４】
アレイは、ラインアップにわたって、ブランド、サブブランド、並びに／又は特徴及び／若しくは有益性の商標を含む同じ商標を有することも多い。
【００１５】
本明細書で使用するとき、「オンラインアレイ」という用語は、共通のオンラインソースによって分配された「アレイ」を意味する。
【００１６】
未熟児、ＮＡＳの乳幼児、及びその他の乳幼児（又は他の着用者）に対して、改良されたフィット性と、より柔軟な適用の選択肢と、狭い股部領域と、排泄物の収容と、改善された皮膚の健康と、を提供する構成可能な吸収性物品が本明細書において提供される。図１は、第１の腰部領域すなわち前側腰部領域の衣類対向面を観者に向けた状態の、横方向軸線を中心に折られた吸収性物品１０の平面図である。図２は、着用者対向面を観者に向けた状態の、弾性体が延在し、吸収性物品１０が平坦に置かれた、図１の吸収性物品１０の平面図である。図３は、衣類対向面を観者に向けた状態の、弾性体が延在し、吸収性物品１０が平坦に置かれた、図２の吸収性物品１０の平面図である。図４は、線４−４を中心に得られた図２の吸収性物品１０の断面図である。吸収性物品１０は、横方向軸線１２と、長手方向軸線１４と、第１の腰部領域すなわち前側腰部領域１６と、第２の腰部領域すなわち後側腰部領域１８と、股部領域２０と、を備えてもよい。可逆性の吸収性物品において、吸収性物品は、いずれの方向にも適用することができるため、特許請求の範囲において「第１の」及び「第２の」腰部領域１６及び１８と称され得る。吸収性物品１０は、第１の湿りガード２２及び第２の湿りガード２４を有してもよい。場合によっては、本開示の吸収性物品には、１つの湿りガードのみが設けられてもよい。単一の湿りガードは、吸収性物品１０の横方向軸線１２のいずれか一方の側に設けられていてもよい。吸収性物品１０はまた、吸収性コアによって吸収されることができるように、排泄物を収容するためのカフ２６又は隆起バリアを備えることができる。
【００１７】
吸収性物品１０は、横方向軸線１２の第１の側における第１の端縁部２８と、横方向軸線１２の第２の側における第２の端縁部３０と、を備えることができる。吸収性物品１０は、長手方向中心軸線１４の第１の側における第１の側縁部３２と、長手方向中心軸線１４の第２の側における第２の側縁部３４と、を備えることができる。吸収性物品１０は、液体透過性材料すなわち液体透過性トップシート３６と、液体不透過性材料すなわち液体不透過性バックシート３８と、トップシート３６とバックシート３８との中間に少なくとも部分的に位置付けられた吸収性コア４０と、を備えることができる。
【００１８】
トップシート３６、バックシート３８、及び吸収性コア４０は、任意の好適な材料で製造され得る。好適なトップシートの材料としては、多孔質発泡体、網状発泡体、有孔プラスチックフィルム、又は天然繊維（例えば、木材若しくは綿繊維）の織布ウェブ若しくは不織布ウェブ、合成繊維（例えば、ポリエステル若しくはポリプロピレン繊維）、無孔材料、有孔材料、有孔不織布材料、オーバーボンド（overbonding）及びリングロール（ring rolling）プロセスを使って製造される有孔不織布材料、又は天然繊維及び合成繊維の組み合わせを有する材料を挙げることができる。有孔又は無孔に関わらず、スパンボンド高ロフト材料が使用されてもよい。トップシート３６は、有孔と共に又は有孔の代わりに、のいずれか一方で、エンボス模様、グラフィック、模様、印、及び／又は三次元的形体を有してもよい。場合によっては、トップシート３６は、平面的なトップシートであってもよい。他の例では、トップシートは、２０１５年３月２日出願のＩｓｅｌｅ  ｅｔ  ａｌ．に対する米国特許出願公開第２０１５／０２５０６６２号又は２０１５年１１月５日出願のＡｒｏｒａ  ｅｔ  ａｌ．に対する米国特許出願公開第２０１６／０１３６０１４号に開示されたようなトップシートであってもよい。トップシートは、疎水性であっても親水性であってもよい。トップシートが有孔である場合、トップシートが疎水性であることが所望され得る。
【００１９】
好適なバックシートの材料としては、蒸気が吸収性物品１０から逃れるのを可能にするが、同時に排泄物がバックシート３４を通過することを防止するか、あるいは少なくとも妨げる通気性材料又は高通気性材料を挙げることができる（すなわち、液体不透過性材料）。このような材料としては、不織布材料、織布材料、フィルム、及び／又はこれらの材料のうちの１つ以上の組み合わせを含む積層体を挙げることができる。他のバックシートの材料としては、例えば、フィルムのような非通気性材料を挙げることができる。
【００２０】
バックシート又はバックシート／外側カバー不織布材料積層体の通気性の尺度は、バックシート又は積層体の湿気透過速度（ＭＶＴＲ）によって反映された、水蒸気の流路に対するバックシート又は積層体の透過性である。積層体又はバックシートのＭＶＴＲは、約５００ｇ／ｍ２／２４ｈｒ〜約５０００ｇ／ｍ２／２４ｈｒ、約１０００ｇ／ｍ２／２４ｈｒ〜４０００ｇ／ｍ２／２４ｈｒ、又は約２０００ｇ／ｍ２／２４ｈｒ〜約３０００ｇ／ｍ２／２４ｈｒの範囲内であってもよく、具体的には、上記の参照範囲内及び参照範囲内に又は参照範囲により形成された全範囲内の０．１ｇ／ｍ２／２４ｈｒ増分がすべて挙げられる。
【００２１】
ＭＶＴＲは、容器口の周りに外方向に延びるフランジを有する非多孔性の上部開放容器（図示せず）内に、ある量の塩化カルシウムのような親水性材料を投入することによって判定することができる。ＭＶＴＲが判定される材料の一部分を、容器の開口に対して重なる関係に配置し、容器の開口端を完全に覆うように容器のフランジに接触させる。次いで、環状ガスケット及び環状止め輪を被試験材料上に載置し、任意の都合のよいクランプ構成によって容器フランジに対して確実にクランプして、被試験材料を通って空気又は水蒸気の透過のみを生じさせることができるように、容器開口部の周囲を緊密かつ完全に封止する。次いで、得られたアセンブリを計量して、容器及び容器の内容物の初期重量を測定する。
【００２２】
初期重量が測定された後、アセンブリは、一定の温度（４０℃）及び一定の湿度（相対湿度７５％）を有するチャンバ内に配置される。容器は、これらの大気条件下で、５時間維持され、その後、チャンバから取り外され、不透過性フィルムで緊密に覆われて、容器内外への水分の移行を防止し、重量バランスが位置する周囲大気と熱平衡に達することができる。熱平衡が約３０分以内に達成され、その後、容器からフィルムの覆いが除去され、再び計量されて、容器と容器の内容物の最終重量が測定される。
【００２３】
ＭＶＴＲは、ＭＶＴＲをｇ／ｍ２／２４ｈｒ単位で提供する次式により算出される。
【数１】
2020531113.tif 000003
本開示の吸収性物品１０において使用するための好適な吸収性コア４０は、一般に、圧縮可能、形状適合可能、着用者の皮膚に対して非刺激性、かつ排泄物を吸収及び保持可能である任意の吸収性材料４２を含んでもよい。加えて、吸収性コア４０の構成及び構造はまた、多様であってもよい（例えば、吸収性コア（単数若しくは複数）又はその他の吸収性構造（単数若しくは複数）は、様々なキャリパーゾーン、親水性勾配（単数若しくは複数）、超吸収性勾配（単数若しくは複数）、又は低めの平均密度及び低めの平均坪量捕捉帯を有してもよく、又は１つ以上の層若しくは構造を含んでもよい）。他の例では、吸収性コア４０の構成及び構造は、均一かつ均質であってもよく、吸収性物品１０は、可逆性であってもよい。かかる例では、吸収性材料４２は、均一かつ均質であってもよい（すなわち、様々な特性を示す範囲がない（not profiled））。いくつかの形態では、吸収性コア４０は、例えば、砂時計形状、延在した砂時計形状、又は矩形形状を有することができる。図５は、延在する（長手方向軸線１４を中心に延在する）砂時計形状を有する例示的な吸収性コア４０の平面図である。一例では、吸収性材料４２は、砂時計形状であってもよく、吸収性コア４０は、矩形であってもよい（すなわち、コアバッグは矩形であり、吸収性材料４２は砂時計形状である）。吸収性材料４２及び／又は吸収性コア４０の全体として（コアバッグを含む）、第１の腰部領域１６において横方向軸線１２に平行な方向に第１の幅を有してもよく、第２の腰部領域１８において横方向軸線１２に平行な方向に第２の幅を有してもよく、股部領域２０において横方向軸線１２に平行な方向に第３の幅を有してもよい。第１の幅及び第２の幅は、第３の幅よりも大きくてもよい。第１の幅及び第２の幅は、同じであるか、実質的に同じであるか、又は異なっていてもよい。場合によっては、吸収性材料４２は、その後、矩形のコアバッグによって取り囲まれる図５に示す形状を有していてもよい。
【００２４】
吸収性材料４２は、超吸収性ポリマー、共成形体（co-form）、発泡体（高内相エマルション発泡体を含むが、これらに限定されない）、エアフェルト（セルロース材料）、又はこれらの混合物を含むことができる。いくつかの形態では、吸収性材料４２は、吸収性材料の重量に対し、３０％未満、３５％未満、４０％未満、少なくとも４０％、少なくとも５０％、少なくとも７５％、少なくとも８０％、少なくとも８５％、少なくとも９０％、少なくとも９５％、少なくとも９７％、少なくとも９８％、少なくとも９９％、又は１００％の超吸収性ポリマーを含むことができる。他の形態では、吸収性材料４２は、エアフェルトのみを含んでいてもよく、超吸収性ポリマーを一切含まないか、又は実質的に含まなくてもよい（例えば、吸収性材料の５重量％未満）。吸収性材料４２は、エアフェルトを有し、１５％未満の超吸収性ポリマー、１０％未満の超吸収性ポリマー、５％未満の超吸収性ポリマー、３％未満の超吸収性ポリマー、又は１％未満の超吸収性ポリマーを有することができる。他の態様では、吸収性材料４２は、超吸収性ポリマーとエアフェルトの混合物（例えば、３０％〜７０％のエアフェルト及び３０％〜７０％の超吸収性ポリマー）を含むことができる。
【００２５】
図４を参照して、吸収性材料４２は、コアバッグ４４内に囲み込まれていてもよい。コアバッグ４４は、少なくとも部分的に吸収性材料４２の第１の側にある第１の基材４６と、少なくとも部分的に吸収性材料４２の第２の側にある第２の基材４８と、を含むことができる。第１の基材４６は、吸収性材料４２及び第２の材料４８の部分の周りにＣ字形状巻き付き部を形成して、吸収性材料４２を囲い込むことができる。他の例では、コア巻き付き部は、当業者に既知の任意の好適な構成を有することができる。いくつかの形態では、吸収性コア４０は、１つ以上の吸収性材料非含有領域、若しくはチャネル、又は実質的な吸収性材料非含有領域（例えば、実質的に超吸収性ポリマー又はエアフェルトを含まない領域）を含むことができる。この例では、第１の基材４６は、これらの領域又はチャネルにおいて第２の基材４８に接合、結合、又は接着されてもよい。他の形態では、チャネルは、吸収性コア４０の中にエンボス加工されてもよい。いくつかの例示的なチャネル及び吸収性コアの構成は、更に詳細には、米国特許第８，９７９，８１５号、同第９，２１６，１１８号、及び同第９，２１６，１１６号において記載されている。
【００２６】
図２及び図４を参照して、吸収性物品１０は、１つ以上の捕捉材料５０を含むことができる。吸収性物品１０はまた、トップシート３２と捕捉材料５０との間、又は捕捉材料５０とコアバッグ４４との間のいずれか一方に１種以上の任意選択的な分配材料５１（図４）を含むことができる。場合によっては、捕捉材料５０及び／又は分配材料５１は、コアバッグ４４の全幅及び／又は全長だけ延在してもよい。他の例では、捕捉材料５０及び／又は分配材料５１は、コアバッグ４４の全幅及び／又は全長よりも短く延在してもよい。捕捉材料５０又は分配材料５１は、例えば、矩形形状、砂時計形状、又は延在した砂時計形状を有することができる。捕捉材料５０を使用して、排泄物の補足及び排泄物の吸収性コア４０内への移動に際し、トップシート３６を補助することができる。分配材料５１は、提供される場合、吸収性物品１０が吸収性コア４０の上に排泄物を分配することを助けることができる。一例として、捕捉材料は、不織布材料であってもよく、分配材料は、例えば、架橋セルロース繊維、ティッシュ、又は他の不織布材料であってもよい。場合によっては、特定の吸収性物品の所望の特性に応じて、捕捉材料だけが提供されてもよく、分配だけが提供されてもよく、あるいはいずれも提供されなくてもよい。
【００２７】
図２〜図４を参照して、一対のカフ２６は、第１の端縁部２８と第２の端縁部３０との間に、少なくとも部分的に又は完全に延在することができる。カフ２６は、１つ以上の弾性体５２を有してもよく、あるいは有さなくてもよい。場合によっては、カフ２６は、弾性体５２を有さない場合、トップシート３６に対してじっと立つ（すなわち上方に延在する）ように、吸収性物品１０に接合される前に予歪み状態であってもよい。他の例では、弾性体を含まないカフ２６は、予歪み状態でなくてもよい。場合によっては、股部領域２０の狭幅化を支援することを補助するために、一対のカフのみが設けられてもよい。いくつかの形態では、図６を参照して、第１の対のカフ２６に加えて、第２の対のカフ２７が設けられてもよい。一例では、この第２の対のカフ２７は、弾性体を有さなくてもよく、予歪み状態であってもよく、予歪み状態でなくてもよい。他の例では、カフ２６又は２７のそれぞれは、１つ以上の弾性体５２及び５３を有してもよい。弾性体５２及び／又は５３は、トップシート３６に対してカフを立たせる（すなわち、上方に延在させる）ことができる。弾性体５２及び５３は、長手方向軸線１４に沿う任意の好適な長さであってもよい。一形態において、カフ２６（又は２７）は、それぞれ、（図４ではＦと標識された）長手方向に延在する３つの折り目を有して、カフ２６を立たせ、トップシート３６から好適な距離だけ延在することができる。図４の５４において、カフの糊又は接着が示されている。別の形態では、カフ２６又は２７は、任意の好適な構成を有してもよい。カフは、概ね、吸収性コア４０の領域への排泄物の収容を補助し、側縁部の漏れを低減させる。カフ２６及び／又は２７の収縮部分及び／又は起立部分は、横方向軸線１２の第１の側又は横方向軸線１４の第２の側でより高くなっていてもよい。他の例では、カフ２６及び／又は２７の収縮部分及び／又は起立部分は、横方向中心軸線１２の両側で同じであってもよい。場合によっては、カフ２６及び／又は２７は、横方向中心軸線１２の両側で同じ距離だけ延在してもよい。場合によっては、吸収性物品１０は、カフを一切備えていなくてもよい。
【００２８】
他の例では、吸収性物品１０は、カフを一切備えていなくてもよく、しかしながら、隆起バリアのいくつかの形態をその代用で使用してもよい。一対の隆起バリアが、トップシート３６に取り付けられてもよく、トップシート３６の下に位置付けられてもよく、あるいはトップシート３６及び／又は捕捉材料若しくは分配材料の一部から形成されてもよい。隆起バリアは、可撓性の発泡体、液体不透過性材料、不織布材料、フィルム、及び／又は他の好適な材料を含むことができる。隆起バリアは、トップシート３６に対して「隆起」していてもよく、カフ２６及び２７と同様の様式で機能することができ、これによって、吸収性コア４０の上に排泄物を保持し続け、排泄物は、吸収性コア４０に吸収されることができる。隆起バリアの厚さは、横方向軸線１２に平行な方向に測定された任意の好適な厚さ、例えば、２ｍｍ〜１０ｍｍであってもよい。場合によっては、１つの隆起バリアを設けてもよく、この単一の隆起バリアは、吸収性コア４０又はその一部を完全に又は部分的に取り囲むことができる。隆起バリアは、例えば、１ｍｍ〜３０ｍｍ又は２ｍｍ〜２０ｍｍの範囲など、トップシート３６から好適な量だけ隆起されて、吸収性物品１０の中に排泄物を収容することができる。例示的な構造及び形状を含む隆起バリアに関する更なる詳細は、Ｇｒｅｅｎｉｎｇ  ＩＩ，ｅｔ  ａｌに対する米国特許出願公開第２０１４／０１７１８９８号に見出すことができる。隆起バリアは、なおより良好な収容のために少なくとも一対のカフと共に使用されてもよい。カフは、隆起バリアの横方向内側又は横方向外側に位置付けることができる。隆起バリア又はカフ２６、２７は、「排泄物収容手段」と称されてもよい。
【００２９】
図１、図３、及び図４を参照して、外側カバー不織布材料５８をバックシート３８の非吸収性コア対向側に位置付けてもよい。外側カバー不織布材料５８は、例えば、接着剤５６を用いてバックシート３８に接合されてもよい。外側カバー不織布材料５８は、１層以上で形成されてもよく、典型的には軟質材であってもよい。外側カバー不織布材料５８は、より消費者に外観の興味をそそるように、あるいはその他の理由のために、複数の結合部、エンボス加工、又は三次元の形体を含んでもよい。
【００３０】
図７は、締着部材１００を有する図１の吸収性物品の側面図である。図８は、締着部材１００を有さない図１の吸収性物品の側面図である。図９は、衣類対向面を観者に向けた状態の、図１の吸収性物品の斜視図である。
【００３１】
図２、図３、及び図６〜図９を参照して、本開示の吸収性物品１０は、股部領域２０において、一対の股部狭窄接合部６０を備えていてもよい。他の形態では、股部領域２０の片側のみが、股部狭窄接合部６０を備えてもよい。股部狭窄接合部６０は、外側カバー不織布材料５８の着用者対向部分又はカフ２６（第２の組のカフが設けられている場合）若しくは２７の着用者対向部分が、カフ２６（第２の組のカフが設けられている場合）若しくは２７の起立部分若しくは他の部分、又はトップシート３６の一部に接合されている場合に生成されていてもよい。接合部は、接着剤結合、機械的結合、熱結合、及び／又は任意の他の好適なタイプの結合若しくは接合であってもよい。他の例では、股部狭窄接合部６０は、バックシート３８の着用者対向部分（又はバックシート３８及び外側カバー不織布材料５８を含む積層体）を、カフ２６若しくは２７の一部又はトップシート３６の一部に接合することによって形成することができる。いずれの場合も、外側カバー不織布材料５８の、第１の側縁部及び第２の側縁部３２及び３４に近接する部分が、カフ２６若しくは２７の一部又はトップシート３６の一部に直接的に又は間接的に接合されていてもよい。これらの股部狭窄接合部６０を設けることにより、吸収性物品１０は、横方向軸線１２において又は横方向軸線１２に近接する、狭い折り畳み股幅（図１の「Ｗ」）を得ることができる。この狭い折り畳み股幅は、多数の理由により、未熟児にとって特に重要であり得る。第１に、小さな乳幼児は、脚の間の空間が少なめである。このように、折り畳み股幅が小さいほど、脚に脚を分離する力を加えることなく吸収性物品をより良好にフィットさせることができる。これにより、脚が、例えば、体の正中線付近などの快適な位置にあるようにすることができる。第２に、典型的なおむつでは、乳幼児の脚の内股領域は、カフ及び／又はバックシートの部分に接触していてもよい。本開示の吸収性物品１０において、乳幼児の内股領域は、カフ２６及び／又は２７の部分及び軟質の外側カバー不織布材料５８の部分と接触していてもよく、これにより、より快適な着用者の経験を提供し、折に触れて、内股の擦傷を低減させる。
【００３２】
図７〜図９を参照して、股部狭窄接合部６０は、カフの弾性体が少なくとも部分的に緩和されたときに、股部領域２０の一部を長手方向軸線１４に向かって内側に折り畳むことにより、股部の折り目６１を生成する。図１を参照して、これらの股部の折り目６１は、狭い折り畳み股幅Ｗを提供する。股部の折り目６１はまた、股部領域２０において、角度が付いた部分６３を有する吸収性物品１０を提供する。角度が付いた部分６３は、横方向軸線１２に対して、約１０度〜約８０度、約１５度〜約７５度、約２０度〜約７０度、約３０度〜約６０度、約４０度〜約６０度の範囲の角度を有していてもよく、具体的には指定した範囲及び範囲内に又は範囲によって形成されるすべての範囲内の０．１度刻みの数値がすべて挙げられる。すべての角度は、本明細書における折り畳み股角度試験に従って測定される。
【００３３】
図５を参照して、股部狭窄接合部６０に加えて、吸収性コア４０は、長手方向軸線１４に平行な方向に伸長された脚切り欠き部６２を有する延在した砂時計形状を有していてもよい。この特徴により、脚（「Ｌ」）が脚切り欠き部６２内の複数の場所に位置付けられ、様々な着用者及び状況に適合することができる。着用者の脚は、例えば、乳幼児のある状況又は位置に適合するように、吸収性コア４０の第１の端縁部４１により近接するか、あるいは第２の端縁部４３により近接するように位置付けられてもよい。上述のように、捕捉材料５０及び／又は分配材料５１は、同様の形状又は異なる形状を有することができる。吸収性コア４０は、約５ｍｍ〜約３００ｍｍ、約１０ｍｍ〜約１００ｍｍ、約１５ｍｍ〜約７５ｍｍ、約１５ｍｍ〜４０ｍｍ、約１５ｍｍ〜２５ｍｍ、又は約２０ｍｍの範囲内の横方向軸線１２’に沿って測定された幅を有してもよく、具体的には指定した範囲及び範囲内に又は範囲によって形成されるすべての範囲内の０．１ｍｍ刻みの数値がすべて挙げられる。吸収性コア４０は、約１５ｍｍ〜約５００ｍｍ、約２０ｍｍ〜約３００ｍｍ、約２５ｍｍ〜約１００ｍｍ、約３０ｍｍ〜約５０ｍｍ、約３５ｍｍ〜約４０ｍｍ、又は約３８ｍｍの範囲の第１の端縁部４１又は第２の端縁部４３のいずれか一方に沿って測定された幅を有してもよく、具体的には指定した範囲及び範囲内に又は範囲によって形成されるすべての範囲内の０．１ｍｍ刻みの数値がすべて挙げられる。
【００３４】
図１０を参照して、いくつかの形態において、股部狭窄接合部が設けられる代わりに、横方向軸線１２に近接した領域における、吸収性物品１０、吸収性物品１０の吸収性コア４０、及び／又は吸収性物品１０のその他の構成要素（例えば、捕捉材料５０）から股部切り欠き部６４が切り出されてもよい。他の形態では、代わりに、股部切り欠き部６４は、製造前又は製造中に吸収性物品の構成要素に形成されてもよい。股部切り欠き部６４は、狭い折り畳み股幅を得るように、任意の好適なサイズ及び形状を有することができる。図１０において、いくつかの例示的な形状が図示されている。股部切り欠き部６４は、例えば、トップシート、バックシート、捕捉材料、外側カバー不織布材料、及び／又はカフの一部に形成することができる。股部切り欠き部６４は、本明細書において開示された砂時計形状又は延在された砂時計形状の吸収性コアと共に使用されてもよい。捕捉材料５０及び／又は分配材料はまた、例えば、砂時計形状であってもよい。股部切り欠き部６４は、吸収性物品の脚周りが砂時計形状になるように切り取られてもよく、あるいは（長手軸長手方向軸線１４に沿って）延在された砂時計形状であってもよい。
【００３５】
股部狭窄接合部６０は、任意選択的な形体であってもよい。場合によっては、股部狭窄接合部６０がなくても、狭い折り畳み股幅が依然得られることが見出された。この狭い折り畳み股幅は、少なくとも一対のレッグカフ２６並びに場合により２対のレッグカフ２６及び２７からの弾性体の収縮と組み合わせた、吸収性コア（図５参照）の細長い砂時計形状に起因し得る。このような例では、吸収性物品は、折り畳み構成において、図９Ａの例示的な形状をとることができる。図９Ａは、狭い折り畳み股幅を「Ｗ」として示している。
【００３６】
本明細書における折り畳み股幅試験に従って測定された折り畳み股幅（すなわち、図１のＷ）は、吸収性物品１０のサイズに応じて、約１５０ｍｍ未満、約１００ｍｍ未満、約７５ｍｍ未満、約５０ｍｍ未満、約４５ｍｍ未満、約５０ｍｍ未満、約４０ｍｍ未満、約３５ｍｍ未満、約３０ｍｍ未満、約２５ｍｍ未満、約２０ｍｍ未満、又は約１５ｍｍ未満であってもよい。本明細書における折り畳み股幅試験に従って測定された折り畳み股幅は、例えば、約１０ｍｍ〜約１５０ｍｍ、約１０ｍｍ〜約１００ｍｍ、約１０ｍｍ〜約７５ｍｍ、約１５ｍｍ〜約５０ｍｍ、約１５ｍｍ〜約４５ｍｍ、４５ｍｍ未満、４０ｍｍ未満、３５ｍｍ未満、約２０ｍｍ〜約４０ｍｍ、約２５ｍｍ〜３５ｍｍ、又は約１５ｍｍ〜約３０ｍｍの範囲であってもよく、例えば、具体的には、指定した範囲及び範囲内に又は範囲によって形成されるすべての範囲内の０．１ｍｍ刻みの数値がすべて挙げられる。
【００３７】
上述のように、図２、図４、図６、及び図１１を参照して、吸収性物品１０に１つ以上の湿りガード２２、２４を設けてもよい。一般的に、湿りガード２２及び２４は、乳幼児の背中、腰背部、及び／又は脚と、排泄物で汚されるトップシート３６の一部との間に障壁を確立するように設けられている。第１の湿りガード２２は、横方向中心軸線１２の第１の側に位置付けられてもよく、第２の湿りガード２４は、横方向中心軸線１２の第２の側に位置付けられてもよい。前述のように、ある吸収性物品１０には、１つの湿りガード（２２か２４かのいずれか一方）だけが設けられてもよい。いくつかの形態では、他の湿りガードもまた、湿りガード２２及び２４に加えて、あるいはこれらに代えて設けられてもよい。一例として、いくつかの湿りガードは、第１の端縁部２８と第２の端縁部３０との間に少なくとも部分的に長手方向に延在することができる。湿りガード２２及び２４は、（横方向中心軸線１２に平行な方向に測定された）任意の好適な幅及び（長手方向中心軸線１４に平行な方向に測定された）長さを有することができる。場合によっては、湿りガード２２及び２４は、第１の幅を有してもよく、吸収性物品１０は、第２の幅を有してもよい。第１の幅は、第２の幅と同一であってもよく、あるいは第２の幅と異なって（第２の幅より大きいか、又は小さくて）もよい。例えば、湿りガードは、カフ２６又はカフ２７の中間までのみ延在し、第１の側縁部及び第２の側縁部３２及び３４にまで延在しなくてもよい。場合によっては、湿りガード２２又は２４のうちの一方は、第１の幅を有し、湿りガード２２又は２４のうちの他方は、第２の幅を有してもよい。第１の幅及び第２の幅は、同一でも異なっていてもよい。場合によっては、湿りガード２２又は２４のうちの一方は、（長手方向中心軸線１４に平行に測定された）第１の長さを有してもよく、湿りガード２２又は２４のうちの他方は、第２の長さを有してもよい。第１及び第２の長さは、同一でも異なっていてもよい。第１の湿りガード２２は、第２の湿りガード２４よりも長い長さを有してもよく、あるいは逆であってもよい。場合によっては、湿りガード２２及び２４は、吸収性物品１０が可逆性であり得るように同じ長さを有してもよい。第１の湿りガード２２は、吸収性コアの第１の部分と重なってもよく、第２の湿りガード２４は、吸収性コアの第２の部分と重なってもよい。
【００３８】
図１１を参照して、第１の湿りガード２２は、第１の端部６６及び第２の端部６８を有してもよい。第１の端部６６は、吸収性物品１０の第１の端縁部２８に近接して位置付けられてもよい。第２の端部６８は、第１の端縁部２８と横方向軸線１２との中間に位置付けられてもよい。第１の湿りガード２２の第２の端部６８は、直線であるとして図示されているが、横方向軸線１２に対して凹状又は凸状であってもよく、あるいは任意の他の好適な形状を有してもよい。第１の湿りガード２２は、トップシート３６の少なくとも一部の上に位置付けられてもよく、長手方向軸線１４と重なるか、又は交差していてもよい。他の例では、湿りガード２２は、トップシート３６の一部及びカフ２６、２７又は隆起バリアの一部の上に位置付けられてもよい。
【００３９】
再度、図１１を参照して、第１の湿りガード２２の第１の部分７０は、カフ２６、２７、隆起バリア、吸収性物品１０の第１の端縁部２８に近接するトップシート３６及び／又はバックシート３８に接合されていてもよい。第１の湿りガード２２の第２の部分７２は、カフ２６、２７、隆起バリア、吸収性物品１０の第１の側縁部３２に近接するトップシート３６及び／又はバックシート３８に接合されていてもよい。第１の湿りガード２２の第３の部分７４は、カフ２６、２７、隆起バリア、吸収性物品１０の第２の側縁部３４に近接するトップシート３６及び／又はバックシート３８に接合されていてもよい。接合は、例えば、機械的接合又は接着性接合を使用することを含むことができる。接合は、間欠的又は連続的であってもよい。この接合により、図１２を参照して、第２の端部６８は、トップシート３６、カフ２６、２７、及び隆起バリアに取り付けられなくてもよく、少なくとも第１の湿りガード２２の非着用者対向面とトップシート３６との間にポケット７１が生成される。他の例では、第２の端部６８は、例えば、トップシート３６，カフ２６、２７、及び／又は隆起バリアに接合されるか、あるいは部分的に接合されてもよい。ポケットはまた、湿りガード２２のポケット７１と同様の様式で第２の湿りガード２４によって作製することができる。
【００４０】
引き続き図１１を参照して、第２の湿りガード２４は、第１の端部７６及び第２の端部７８を有することができる。第１の端部７６は、吸収性物品１０の第２の端縁部３０に近接して位置付けられてもよい。第２の端部７８は、第２の端縁部３０と横方向軸線１２との中間に位置付けられてもよい。第２の湿りガード２４の第２の端部７８は、直線であるとして図示されているが、横方向軸線１２に対して凹状又は凸状であってもよく、あるいは他の好適な形状を有してもよい。第２の湿りガード２４は、トップシート３６の少なくとも一部の上に位置付けられてもよく、長手方向軸線１４と重なるか、又は交差していてもよい。他の例では、湿りガード２４は、トップシート３６の一部と、カフ２６、２７又は隆起バリアの一部の上に位置付けられてもよい。
【００４１】
第２の湿りガード２４の第１の部分８０は、カフ２６、２７、隆起バリア５６、吸収性物品１０の第２の端縁部３０に近接するトップシート３６及び／又はバックシート３８に接合されていてもよい。第２の湿りガード２４の第２の部分８２は、カフ２６、２７、隆起バリア、吸収性物品１０の第１の端縁部３２に近接するトップシート３６及び／又はバックシート３８に接合されていてもよい。第２の湿りガード２２の第３の部分８４は、カフ２６、２７、隆起バリア、吸収性物品１０の第２の側縁部３４に近接するトップシート３６及び／又はバックシート３８に接合されていてもよい。接合は、例えば、機械的接合又は接着性接合を使用することを含むことができる。接合は、間欠的又は連続的であってもよい。この接合により、第２の端部７８は、トップシート３６、カフ２６、２７、及び隆起バリアに取り付けられなくてもよく、少なくとも第２の湿りガード２４の非着用者対向面とトップシート３６との間に（図１２のポケット７１のような）ポケットが生成される。他の例では、第２の端部７８は、例えば、トップシート３６、カフ２６、２７、及び／又は隆起バリアに接合されるか、あるいは部分的に接合されてもよい。
【００４２】
他の例では、第１及び／又は第２の湿りガード２２及び２４は、吸収性物品１０の着用者対向面の任意の好適な場所でトップシート３６、カフ２６、２７、隆起バリア及び／又はバックシート３８に接合されてもよい。一例では、湿りガード２２及び２４の周辺の全部又は一部は、着用者対向面に接合されていてもよい。他の例では、非周辺領域の全部又は一部は、着用者対向面に接合されてもよい。両者が設けられている場合、２つの湿りガード２２及び２４は、着用者対向面の一部に同一の様式で又は異なる様式で接合されていてもよい。一例では、湿りガード２２及び２４のうちの一方又は両方が、パッケージ内の吸収性物品１０に接合されていないが、代わりに別個の部品として提供される別個の部品であってもよい。その後、看護者又は介護者は、吸収性物品１０の着用者対向面の部分に、適宜、湿りガード又は複数の湿りガードを位置付けてもよい。湿りガード２２及び２４は、湿りガード２２及び２４と第１及び第２の端縁部２８及び３０との間に空間を有してもよい。換言すると、それぞれの湿りガードの最も長手方向外側の部分は、第１の端縁部２８又は第２の端縁部３０に位置付けられる必要はないが、代わりに、例えば０．５インチの隙間のような隙間が存在していてもよい。
【００４３】
湿りガード２２及び２４は、同一の構造又は異なる構造を有してもよい。図２及び図４を参照して、湿りガード２２及び２４はそれぞれ、第１の液体不透過性材料（又は実質的に液体不透過性材料）８６及び第２の液体透過性材料８８を含む積層体を含むことができる。湿りガードはまた、他の液体透過層又は不透過層を含んでもよい。層８６及び層８８は、接着剤９０を使用するなど任意の好適な様式で共に接合され得る。接着剤９０は、連続的又は非連続的であってもよく、例えば、スロット状に塗工されるか又はらせん状に塗布されてもよい。第１の液体不透過性材料８６は、１種以上の不織布材料若しくはフィルム、又は積層体としての不織布及びフィルムを含むことができる。第２の液体透過性材料８８は、１種以上の不織布材料又は非フィルム材を含むことができる。第１の液体不透過性材料８６は、トップシート３６の一部に対向する一方、第２の液体透過性材料８８は、着用者に対向するか、又は吸収性物品の着用者対向面の一部を形成することができる。このように、第１の液体不透過性材料８６を使用して、湿りガードの下のトップシート３６の一部と第２の液体透過性材料８８との間に障壁を生成して、材料８８を乾燥状態及び無菌状態で保持することができる。第２の液体透過性材料８８を使用して、乳幼児の腰背部、腰、及び／又は脚に、柔軟、無菌、及び快適な表面を提供することができる。一例では、湿りガード２２及び２４は、液体不透過性フィルムを有さない１つ以上の疎水性不織布材料のみを含んでいてもよい。（複数種の）疎水性不織布材料は未処置であり得るので、これは自然と疎水性を維持する。他の例では、（複数種の）疎水性不織布材料は、より疎水性となるように処理されてもよい。
【００４４】
第１及び第２の湿りガード２２及び２４は、吸収性物品１０内に股受け領域９２を形成してもよい。股受け領域９２は、吸収性物品１０が乳幼児に位置付けられたとき、乳幼児の股領域が位置付けられる２つの湿りガード２２と湿りガード２４との間の領域である。第１の湿りガード２２と第２の湿りガード２４との間の股受け領域９２は、特定のサイズの乳幼児用の任意の好適なサイズ（長さ又は幅）であってもよい。（共に、あるいは１つだけが設けられる場合、別で）湿りガード２２及び２４に対する股受け領域９２の表面積の比は、約７：１、約６：１、約５：１、約４：１、約３：１、約２：１、約１：１、又は約０．５：１であってもよく、あるいは約１０：１〜約１：１の範囲、具体的には上で指定した比及び指定した範囲内に形成されるすべての比の０．１刻みの数値がすべて挙げられる。股受け領域９２は、例えば約２５ｃｍ２〜約７５０ｃｍ２、約４０ｃｍ２〜約５００ｃｍ２、約５０ｃｍ２〜約４００ｃｍ２、約５０ｃｍ２〜約２５０ｃｍ２、約５０ｃｍ２〜約２００ｃｍ２、約５０ｃｍ２〜約１５０ｃｍ２、約５０ｃｍ２〜約１００ｃｍ２、又は約６０ｃｍ２〜約８０ｃｍ２の範囲の面積を有してもよく、具体的には、指定した範囲及び範囲内に又は範囲によって形成されるすべての範囲内の０．１ｃｍ２刻みの数値がすべて挙げられる。
【００４５】
吸収性物品は、平坦に置かれ、弾性体の収縮が引っ張られると、長手方向中心軸線１４に対して平行な方向に、５００ｍｍ未満、４００ｍｍ未満、３００ｍｍ未満、２７５ｍｍ未満であるが、少なくとも１００ｍｍの長さを有してもよい。吸収性物品は、平坦に置かれ、弾性体の収縮が引っ張られると、横方向中心軸線１２に対して平行な方向に、２００ｍｍ未満、１５０ｍｍ未満、１３０ｍｍ未満、１００ｍｍ未満であるが、少なくとも５０ｍｍの幅を有してもよい。
【００４６】
第１及び／又は第２の湿りガード２２及び２４を作成するために、バックシート３８及び外側カバー不織布材料５８は、第１及び第２の端縁部２８及び３０を越えて延在し、吸収性物品１０の着用者対向側に折り重なってもよい。バックシート３８及び外側カバー不織布材料５８の折り重なった部分を、トップシート３６、カフ２６、２７の一部、隆起バリア及び／又はバックシート３８に接合してもよい。このように、バックシート３８の折り重なった部分が第１の液体不透過性材料８６を形成し、外側カバー不織布材料５８が、湿りガード２２及び２４の第２の液体透過性材料８８を形成することができる。他の例では、バックシート３８及び外側カバー不織布材料５８は、着用者対向面の一部に接合されていなくてもよいが、代わりに着用者対向面に単に折り重ねられていてもよい。
【００４７】
別の例では、第１及び／又は第２の湿りガード２２及び２４は、それぞれ第１の液体不透過性材料８６及び第２の液体不透過性材料８８を含む別個の積層体から形成されてもよい。これらの別個の積層体は、トップシート３６、カフ２６、２７の一部、隆起バリアの部分及び／又はバックシート３８に接合されてもよい。
【００４８】
吸収性物品１０は、例えば、約１５０ｃｍ２〜約１５００ｃｍ２、約１７５ｃｍ２〜約１０００ｃｍ２、約２００ｃｍ２〜約８００ｃｍ２、約２００ｃｍ２〜約５００ｃｍ２、約２００ｃｍ２〜約４００ｃｍ２、約２００ｃｍ２〜約３００ｃｍ２、約２００ｃｍ２〜約２５０ｃｍ２、約２１０ｃｍ２〜約２４０ｃｍ２又は約２２５ｃｍ２の範囲の着用者対向面面積（湿りガードの面積を含む全着用者対向面）を有してもよく、具体的には、指定した範囲及び範囲内に又は範囲によって形成されるすべての範囲内の０．１ｃｍ２刻みの数値がすべて挙げられる。
【００４９】
湿りガード２２又は２４は、例えば、約１０ｃｍ２〜約８００ｃｍ２、約１５ｃｍ２〜約６００ｃｍ２、約１５ｃｍ２〜約４００ｃｍ２、約２０ｃｍ２〜約３００ｃｍ２、約２０ｃｍ２〜約２００ｃｍ２、約２０ｃｍ２〜約１００ｃｍ２、約２０ｃｍ２〜約７５ｃｍ２、又は約２５ｃｍ２〜約７０ｃｍ２の範囲の面積を有してもよく、具体的には、指定した範囲及び範囲内に又は範囲によって形成されるすべての範囲内の０．１ｃｍ２刻みの数値がすべて挙げられる。上述したように、両方が吸収性物品に設けられている場合、湿りガード２２は、湿りガード２４と同一であるか、又は異なる面積を有してもよい。
【００５０】
別の例では、図１３を参照して、湿りガード２２及び２４のうちの少なくとも一方又は両方を、例えば、第１の側縁部３２、第２の側縁部３４、並びに／又は側縁部３２及び３４のうちの一方に近接する吸収性物品１０の一部にだけ取り付けることができる。他の例では、湿りガード２２及び／又は２４は、例えば、外側カバー不織布材料５８、バックシート３８、トップシート３４、隆起バリアのうちの１つ、及び／又はカフ（２６又は２７）のうちの１つに取り付けられてもよい。かかる例において、図１３の湿りガード２２は、例えば、図２に示された位置に折り重ねられるように構成されていてもよい。湿りガード２４は、図示された湿りガード２２と同様の構成を有してもよく、あるいは図２を参照して記載されたように設けられてもよい。湿りガード２２（及び／又は同一の形体で設けられる場合、湿りガード２４）は、例えば、複数のフック又は接着剤のような締着部２３を含んでもよく、例えば、湿りガード２２が吸収性物品１０に折り重ねられると、湿りガード２２は、締着部２３によって、吸収性物品１０の着用者対向面の一部に接合される。湿りガード２２の材料は、上述したものと同じであるか、又はそれに類似していてもよい。
【００５１】
更に他の例では、図１４及び図１５を参照して、湿りガード２２及び２４のうちの一方又は両方は、吸収性物品１０（図１４）とは別の部品（図１５）であってもよく、例えば、図２に示す位置、あるいは、例えば、看護者又は介護者が所望するような他の位置において、吸収性物品１０に配置されるように構成されてもよい。場合によっては、図１４及び図１５に図示するように、１つの湿りガード２２は、別個の部品であってもよく、他方の湿りガード２４は、カフ２６（又は２７）、隆起バリア、トップシート３６及び／又はバックシート３８に接合されていてもよい。個別の湿りガード又は複数の湿りガードは、吸収性物品１０と共に包装されていてもよく、あるいは別個に包装及び／又は販売されていてもよい。別個の湿りガード２２（及び／又は別個の場合、湿りガード２４）は、第１の締着部２３及び第２の締着部２５を有することができる。第１の締着部２３及び第２の締着部２５を使用して、個別の湿りガード２２を、所望どおりに吸収性物品１０の着用者対向面の一部に接合し、吸収性物品１０の使用中に湿りガード２２を適所に維持することができる。湿りガードの材料は、上述したものと同じであるか、又はそれに類似していてもよい。
【００５２】
更に他の例では、図１６及び図１７を参照して、湿りガード２２及び２４のうちの少なくとも一方又は両方がスリーブ形態で設けられてもよい。スリーブは、パッケージ内の吸収性物品１０上に位置付けられてもよく、パッケージ内の吸収性物品１０とは別個に位置付けられてもよく、あるいは別のパッケージで販売されてもよい。一旦、吸収性物品上に位置付けられると、スリーブは、矢印９４及び９６の方向に移動可能であり、看護者又は介護者は、所望どおりに湿りガード２２を位置付けることができる。場合によっては、図１６に示すように、１つの湿りガード２４が、着用者対向面に接合され、別の湿りガード２２が、スリーブの形態をとることができる。いくつかの形態では、湿りガードの材料は、上記と同じであってもよいし同様であってもよい。他の形態では、着用者対向面の上に位置付けられた湿りガードの部分だけが、その他の部分（すなわち、吸収性物品１０の非着用者対向面９８に巻き付けられた部分）が、例えば、フィルムを含まない不織布材料のような他の材料で構成される、本明細書に記載された湿りガードの構成を有してもよい。図１７は、スリーブ状の湿りガード２２が、どのように吸収性物品１０を取り巻くかの例を示す。
【００５３】
本開示の吸収性物品１０は、１つ以上の締着部材を有することができる。締着部材は、完全に取り外し可能な締着部材１００であってもよい。締着部材は、別個の要素でもあり得る伸長パネルであってもよい。図１８及び図１９を参照して、締着部材１００はそれぞれ、第１の表面１０２、第２の表面１０４、第１の端部１０６、及び第２の端部１０８を含むことができる。第１の表面１０２は、第２の表面１０４の反対側であってもよく、第１の端部１０６は第２の端部１０８の反対側であってもよい。締着部材１００は、外側カバー不織布材料５８の第１の部分又はランディングゾーンの第１の部分と係合するように構成され、第１の表面１０２に位置付けられた、第１の締着部１１０を含むことができる。吸収性物品１０は、ランディングゾーンを有していなくてもよい。締着部材１００は、外側カバー不織布材料５８の第２の異なる部分に係合するように構成され、第１の表面１０２に位置付けられた、第２の締着部１１２を含むことができる。場合によっては、第１の表面１０２に第１の締着部材１１０を設け、第２の表面１０４に第２の締着部材１１２を設けることが所望され得、締着部は、例えば、管を保持するためにループ状に折り畳むことができる。外側カバー不織布材料５８の第１の部分は、前側腰部領域１６、後側腰部領域１８、又は股部領域２０にあってもよい。同様に、外側カバー不織布材料５８の第２の部分は、前側腰部領域１６、後側腰部領域１８、又は股部領域２０にあってもよい。締着部１１０は、第１の端部１０６に近接して位置付けられてもよく、締着部１１２は、第２の端部１０８に近接して位置付けられてもよい。場合によっては、吸収性物品１０に完全に取り外し可能な締着部材１００が１つのみ設けられてもよく、他の締着部材は、その端部の少なくとも１つの端部において、吸収性物品に恒久的に接合されていてもよい。
【００５４】
締着部材１００は、吸収性物品１０から取り外し可能であるため、看護者や介護者の所望に応じてあるいは必要に応じて締着させることができる。場合によっては、看護者又は介護者は、例えば、乳幼児がある位置にいる場合、締着部材１００を吸収性物品１０から取り外し、これらを使用しなくてもよい。他の例では、看護者又は介護者は、例えば、乳幼児が他のある位置にいる場合、締着部材１００のうち１つのみを使用してもよい。
【００５５】
図１８〜図２２を参照して、第１の締着部１１０及び第２の締着部１１２は、締着部材１００の周辺まで延在しなくてもよい。これは、頑丈な締着部材（例えば、フック）が着用者の皮膚に接触又は刺激を与えることを防止するか、あるいは少なくとも抑制することを助けることができる。締着部１１０及び１１２は、矩形として図示されているが、例えば、円形又は卵形、三角形、ハート形などの任意の他の好適な形状であってもよい。場合によっては、締着部が、着用者の皮膚に刺激を与えることを再び防止するか、あるいは少なくとも抑制するように、角部を有さない締着部を有することが所望され得る。パッケージ内において、第１及び第２の締着部１１０及び１１２は、第１の表面１０２に接合されてもよいので、第１及び第２の締着部１１０及び１１２は、吸収パッドの他の部分、他の締着部材、及び／又は他の物品と意図せず係合することを少なくとも抑制される。
【００５６】
図２０を参照して、締着部材１００は、第１の不織基材又は他の基材１１４と、第２の又は他の不織布基材１１６と、第１の基材１１４と第２の基材１１６との中間に少なくとも部分的に位置付けられた弾性材料１１７又はフィルムと、を含むことができる。弾性材料としては、例えば、弾性不織布材料、弾性フィルム、又は弾性ストランドを挙げることができる。弾性材料は、通気性を促進するために、有孔であるか、又は微細有孔であってもよい。他の例では、締着部材は、１つ以上の基材を含んでもよく、弾性材料を含まなくてもよい。
【００５７】
図２１及び図２２を参照して、締着部材１００の（例えば、第１の端部１０６と第２の端部１０８との間の）中間部分１１８は、締着部材１００における１つ以上のスロット１２０又は開口を画定することができる。スロット又は開口１２０は、任意の好適なサイズ及び／又は形状を有し得る。特定の例では、未熟児、ＮＡＳの乳幼児、その他の乳幼児は、栄養管、コード型モニタリング装置（例えば、心拍モニタリング装置）、コード型生活支援装置等を使用している。これらの管及びコードは、スロット１２０又は開口を通って位置付けられて、管及びコードを適所に保持することを助けることができる。場合によっては、締着部材１００の中間部分１１８又は他の部分は、例えば、高通気性フィルム、不織布、フィルム／不織布積層体、又は有孔フィルム若しくは有孔不織布材料などの高通気性材料で構成することができる。
【００５８】
一部の国では、乳幼児の臍帯の一部が乾燥及び／又は治癒しているとき、生後、臍領域に空気を流すことが可能であることが所望され得る。図２３及び図２４を参照して、前側腰部領域１６の第１の端縁部２８に第１の臍帯切り欠き部１２２を画定してもよく、後側腰部領域１８の第２の端縁部３０に第２の臍帯切り欠き部１２４を画定してもよい。第１の臍帯切り欠き部１２２及び第２の臍帯切り欠き部１２４は、第１の端縁部２８及び第２の端縁部３０に対して任意の好適なサイズ、形状、及び／又は深さを有することができる。場合によっては、第１又は第２の臍帯切り欠き部のみを設けることができる。２つの臍帯切り欠き部を有することの利点は、吸収性物品１０が、着用者の正面に前側腰部領域１６が適用されるか、あるいは着用者の背中に前側腰部領域１６が適用されてもよいことである。換言すると、２つの臍帯切り欠き部を設けることにより、吸収性物品１０は、可逆性であることができる。長手方向軸線１４（例えば、図２参照）は、臍帯切り欠き部を通って延在することができる。
【００５９】
図２４を参照して、締着部材１００の第１の側が、後側腰部領域１８の一部に恒久的に固定されてもよく、吸収性物品１０に解放可能に接合されていなくてもよい。締着部材１００の第１の側は、後側腰部領域１８の一部に、１つ以上の結合部１３８、接着剤のラインを使用して、恒久的に固定されてもよく、あるいは他の方法で恒久的に固定されてもよい。締着部材１００の第２の側は、締着部材１００の第２の側を前側腰部領域１６の一部に接合するために使用される締着部を含むことができる。あるいは、締着部材１００の第２の側は、前側腰部領域１６に恒久的に固定されてもよく、締着部材１００の第１の側は、締着部材１００の第１の側を後側腰部領域１８に接合するために使用される締着部を含むことができる。
【００６０】
一部の国では、生後の乳幼児の臍を覆うことが所望され得る。図２５及び図２６を参照して、第１の臍帯突起部１２６は、前側腰部領域１６の第１の端縁部２８から延在することができ、第２の臍帯突起部１２８は、後側腰部領域１８の第２の端縁部３０から延在することができる。第１の臍帯突起部１２６及び第２の臍帯突起部１２８は、第１の端縁部２８及び第２の端縁部３０に対してそれぞれ任意の好適なサイズ、形状及び／又は高さを有してもよい。場合によっては、第１の臍帯突起部又は第２の臍帯突起部のみを設けることができる。２つの臍帯突起部を有することの利点は、吸収性物品１０が、着用者の正面に前側腰部領域１６が適用されるか、あるいは着用者の背中に前側腰部領域１６が適用されてもよいことである。換言すると、２つの臍帯突起部を設けることにより、吸収性物品１０は、可逆性であることができる。長手方向軸線１４（例えば、図２参照）は、臍帯突起部を通って延在することができる。
【００６１】
臍帯突起部は、臍帯突起部の中に画定された１つ以上のスロット１３０又は開口を有してもよい。スロット１３０又は開口は、任意の好適なサイズ及び／又は形状を有し得る。特定の例では、未熟児、ＮＡＳの乳幼児、その他の乳幼児は、栄養管、コード型モニタリング装置（例えば、心拍モニタリング装置）、コード型生活支援装置等を使用している場合がある。これらの管及びコードは、スロット１３０又は開口を通って位置付けられて、管及びコードを適所に保持することを助けることができる。
【００６２】
場合によっては、吸収性物品には、臍帯切り欠き部又は臍帯突起部が設けられなくてもよい（例えば、図１及び図２参照）。更に他の例では、横方向軸線１２の第１の側に、臍帯切り欠き部を設けてもよく、横方向軸線１２の第２の側に臍帯突起部を設けてもよい。
【００６３】
上記のように、繊細な体と皮膚のため、未熟児及びＮＡＳの乳幼児との接触を可能な限り少なくすることが所望され得る。一方で、乳幼児の皮膚を保護するために、可能な限り排泄物を含まないように、吸収性物品を乳幼児が身に付けることもまた所望される。乳幼児が、インキュベータ内に位置付けられるような場合、従来の湿り度インジケータは、インキュベータの高湿度環境により、適切に機能しない場合がある。本開示は、低不透明度の外側カバー不織布材料５８及び／又はバックシート３８を提供することによって、これらの問題を解決する方法を提供する。低不透明度の外側カバー不織布材料５８及び／又はバックシート３８を提供することによって、看護者は、乳幼児に触れることなく、吸収性物品を交換する必要があるかどうかを視覚的に判断することができ、それ故に、吸収性物品が汚れていないか、又はあまり汚れていない場合、乳幼児を煩わせなくて済む。
【００６４】
低不透明の外側カバー不織布材料５８及び／若しくはバックシート３８に加えて又はこれに代えて、吸収性物品１０は、バックシート３８の着用者対向側又は他の好適な位置に位置付けられてもよい湿り度インジケータ１３２を含んでもよい。湿り度インジケータは、吸収性物品１０の着用者対向面又は衣類対向面から目視可能であってもよい。これにより、排泄物は、湿り度インジケータに接触するので、湿り度インジケータは、吸収性物品が汚れ、取り換えが必要であることを看護者又は介護者に示すために、色を変えたり、出現したり、又は消えたりすることができる。他の例では、湿り度インジケータは、吸収性物品１０内の（吸収性物品に進入した排泄物に起因する）温度変化に基づいて色を変えたり、出現したり、又は消えたりすることができる。他の例では、吸収性物品１０は、湿り度インジケータを備えていなくてもよい。
【００６５】
吸収性物品１０は、乳幼児の皮膚の健康を促進するために、トップシート３６、レッグカフ２６及び／若しくは２７、並びに／又は他の構成要素に、ローション、軟膏、皮膚保護軟膏、ビタミン剤、抗菌処理、抗微生物処理、抗真菌処理を含んでもよい。
【００６６】
図２７〜図２９は、衣類対向面を観者に向けた状態の、グラフィック及び／又は印１３４、１３６（以下「グラフィック」）を有する吸収性物品１０の概略図である。グラフィック１３４は、横方向中心軸線１２の第１の側にあってもよく、衣類対向面から見ることができ、グラフィック１３６は、横方向中心軸線１２の第２の側にあってもよく、吸収性物品１０の衣類対向面から見ることができる。グラフィック１３４及び／又は１３６は、吸収性物品１０の長手方向軸と交差してもよく、あるいは交差しなくてもよい。グラフィック１３４及び／又は１３６は、単一の画像、複数の画像、単一のパターン又は複数のパターンを形成する単一のグラフィック又は複数のグラフィックであってよい。グラフィック１３４は、介護者又は着用者に吸収性物品の可逆性を示すように、横方向中心軸線１２に対してグラフィック１３６の鏡像であってもよい（又は同一であるか若しくは実質的に同一であってもよい）。他の例では、グラフィック１３４は、横方向中心軸線１２に対してグラフィック１３６の鏡像でなくてもよい。図２９を参照して、グラフィック１３４及び／又は１３６は、ブランド名、文字、及び／又はロゴから少なくとも部分的に構成されてもよい。グラフィック１３４及び／又は１３６は、例えば、バックシート３８及び／又は外側カバー不織布材料５８に印刷されるか、位置付けられるか、かつ／又は塗布されてもよい。グラフィック１３４及び１３６がバックシート３８にある場合、外側カバー不織布材料５８は、グラフィック１３４及び１３６が外側カバー不織布材料５８を通って視認可能な不透明度を有してもよい。グラフィック１３４及び１３６は、バックシート３８の衣類対向側及び／又はバックシート３８の着用者対向側にあってもよい。グラフィック１３４はまた、前側腰部領域１６内のランディングゾーンに印刷されるかないしは別の方法で付与されてもよい。同様に、グラフィック１３６は、後側腰部領域１８のランディングゾーンに印刷されるかないしは別の方法で付与されてもよい。２つのランディングゾーンを設けることにより、介護者は、吸収性物品１０が可逆性であることを認識することができる。ランディングゾーンは、外側カバー不織布材料５８に接合された別個の材料であってもよく、あるいは外側カバー不織布材料５８の部分により形成されてもよい。
【００６７】
横方向中心軸線１２に対して互いの鏡像であるグラフィック１３４及び１３６を有することにより、吸収性物品１０は、可逆性であり得る。言い換えると、乳幼児の（又は着用者の）後側腰部領域は、吸収性物品１０がどのように乳幼児に着用されているかに応じて、グラフィック１３４又は１３６に隣接して位置付けられてもよい。吸収性物品１０が可逆的であるように作製されている場合、吸収性コア４０内の吸収性材料４２は、場合によっては、均一かつ均質であり得る。吸収性コア４０はまた、吸収性物品の可逆性を補助するように、吸収性物品内で長手方向にセンタリングされてもよい。横方向中心軸線１２の両側に互いに鏡像をなすグラフィックを設けることにより、介護者は、吸収性物品が可逆性であることを迅速に認識することとなる。更に、グラフィックは、締着部（例えば、１１０、１１２）が衣類対向面に取り付けられてもよい場所（例えば、ランディングゾーン）を示して、締着部の適切な適用に関して介護者を誘導し、それにより、吸収性物品１０を適切に適用できる。
【００６８】
図８及び図３０〜図３４を参照すると、１つ以上のインサート１４０が、吸収性物品１０と共に使用するために設けられてもよい。１つ以上のインサート１４０は、吸収性物品１０と共に包装されてもよく、あるいは別個に包装され販売されてもよい。１つ以上のインサート１４０及び１つ以上の吸収性物品１０は、キットであってもよい。１つ以上のインサート１４０は、吸収性物品１０が着用者に着用された後、又は吸収性物品１０が着用者に着用される前に、吸収性物品１０内に位置付けられてもよい。インサート１４０は、吸収性物品１０の汚染前又は吸収性物品１０の汚染後に使用されてもよい、追加の吸収性収容要素を本質的に提供する。インサート１４０は、吸収性物品１０のみを使用した場合に比べて、乳幼児又は着用者が完全に交換する必要がなくてもよく、それにより、移動又は接触が少なくて済むことができるという点で有利であり得る。複数のインサートを一度に使用することができ、汚れた場合、最も着用者に近い側のインサートを除去することができる。場合によっては、インサート１４０は、任意の好適な接合手法を使用して、吸収性物品１０の着用者対向面又は他のインサートの着用者対向面に、締着又は接合されてもよい。他の例では、インサート１４０は、吸収性物品１０の着用者対向面に、又はいくつかの別個の取り付け機構若しくは接合機構なしに、着用者対向面に単に配置されてもよい。これらの例では、インサート１４０は、摩擦により又は単に乳幼児の体重によって、適所に留まることができる。場合によっては、インサートの少なくとも一部は、吸収性物品を着用者が着用中に、吸収性物品に挿入されると、吸収性物品１０の着用者対向面の一部の上に摺動可能な低摩擦係数を有してもよい。インサートは、吸収性物品全体の取り換えを減らすことができ、これにより、乳幼児又は未熟児のストレスを少なくする（すなわち、動きを少なくする）ので有益である。
【００６９】
図３０は、本開示の吸収性物品１０の着用者対向面に位置付けられたインサート１４０の平面図である。図３１は、インサートの平面図である。図３２は、線３２−３２を中心に得られた図３１のインサート１４０の断面図である。図３３は、別のインサート１４０’の平面図である。図３４は、別のインサート１４０’’の平面図である。
【００７０】
インサート１４０は、トップシート１４２と、任意選択的な捕捉材料及び／又は分配材料１４４と、吸収性コア１４６と、バックシート１４８と、任意選択的に外側カバー不織布材料１５０と、を含んでもよい。トップシート１４２は、１種以上の不織布材料、１種以上のフィルム、又は１種以上の不織布材料及び１種以上のフィルムから形成された積層体から形成されてもよい。トップシート１４２は、液体透過性材料又はトップシート１４２を液体透過性又はより液体透過性であるようにすることができる、トップシート１４２に画定された、開口１５２を含んでもよい。トップシート１４２はまた、例えば、三次元特徴部、エンボス加工、結合パターン、ローション、及び／又は界面活性剤を含んでもよい。捕捉材料及び／又は分配材料１４４は、不織布材料、発泡体又は他の好適な材料で形成されてもよい。補捉材料及び／又は分配材料１４４は、任意選択的な特徴部であるため、図３２にだけ示している。任意選択的に、架橋セルロース繊維の層もまた、トップシート１４２と捕捉材料及び／又は分配材料１４４との間に存在してもよい。吸収性コア１４６は、吸収性材料を含んでもよい。吸収性材料は、エアフェルト及び超吸収性ポリマーを含んでもよく、大部分がエアフェルト若しくはエアフェルトのみ、又は大部分が超吸収性ポリマー若しくは超吸収性ポリマーのみであってもよい。吸収性コア１４６は、吸収性材料を含まない領域（例えば、吸収性材料を含まないチャネル）を有してもよく、又は吸収性材料が緻密化されている領域（例えば、吸収性材料内に緻密化された領域によって形成されるチャネル）を有してもよい。バックシート１４８は、液体不透過性であってもよく、気体透過性（又は「通気性」）であってもよく、又は気体透過性でなくてもよい。場合によっては、バックシート１４８は、設けられなくてもよく、吸収性コア１４６によって吸収されない排泄物は、インサート１４０を通過し、吸収性物品１０内に移動する。外側カバー不織布材料１５０は、設けられてもよく、又は設けられなくてもよく、例えば、不織布材料で形成されてもよい。
【００７１】
図３２Ａを参照すると、場合によっては、インサート１４０は、図３１の線３２Ａ−３２Ａを中心に得られた場合、図示される断面を有してもよい。そのような場合、トップシート１４２は、バックシート１４８の端部領域の周りにＣ字形状巻き付き部を形成し、接着性結合材１４９又は他の種類の接合部を使用してバックシート１４８に接合されてもよい。そのような場合、バックシート１４８の一部は、吸収性物品１０のトップシート３６に据えられ得る。言い換えると、バックシート１４８の一部は、インサートの衣類対向面を形成してもよい。任意選択的な捕捉材料及び／又は分配材料１４４を設けてもよい。図３２Ａのインサートは、場合によっては、外側カバー不織布材料も更に有することができる。
【００７２】
図３３を参照すると、インサート１４０’が図示されている。この例示的インサート１４０’は、一方の端部に把持タブ１５４を有し、他方の端部に切り欠き部１５６を有する。把持タブ１５４を使用して、介護者は、インサート１４０’を容易に把持及び除去することができる。把持タブ１５４は、一例では、バックシート材料又は他の液体不透過性材料のみで形成されてもよく、排泄物は、把持タブ１５４に吸い上がることはできない。他の例では、把持タブ１５４は、トップシート１４２の一部、バックシート１４８の一部、及び／又は外側カバー不織布材料１５０の一部によって形成されてもよい。一方の端部に把持タブ１５４及び他方の端部に切り欠き部１５６を設けることにより、インサートを複数のインサート１４０’のストリップに製造する際、省材料化を達成することができる。本明細書に記載のインサートのうちの任意のものは、複数のインサートのストリップに製造されてもよく、例えば、インサートのロールとしてパッケージされてもよい。脆弱線１５８が、様々なインサートの中間に形成されてもよい。そのような例では、複数のインサートのロールが介護者又は看護者に提供されてもよく、その後、介護者又は看護者は、特定の着用者に使用するために任意の好適な数のインサートを切り離すことができる。インサートはまた、例えば、積み重ねて、又は他の形態でパッケージされてもよい。
【００７３】
図３４を参照すると、インサート１４０’’が図示されている。例示的なインサート１４０’’は、介護者又は看護者が容易にインサート１４０’’を配置及び除去することができるように、両端に把持タブ１５４を有してもよい。
【００７４】
場合によっては、様々なインサートは、着用した吸収性物品１０へのインサートの適用を補助する剛化部材又は剛化部分（例えば、発泡体、緻密化領域）を含んでもよい。
【００７５】
場合によっては、吸収性物品は、芳香剤、香料及び／又はローションを含まないことが所望され得る。他の例では、例えば、トップシートなどの吸収性物品の１つ以上の構成要素は、芳香剤、香料、及び／又はローションを含まなくてもよい。
【００７６】
図３５を参照して、弾性体５２は、吸収性物品１０の、全長手方向、略全長手方向、又は全長手方向の一部にだけ延在していてもよい。ただし、ある例では、弾性体５２は、接合領域２２２において単にカフ２６に接合されていてもよい。弾性体５２は、第１の端縁部２８及び第２の端縁部３０において、吸収性物品が他の吸収性物品から分離された後、吸収性物品１０の全長手方向に延在しなくてもよい。この例では、弾性体５２は、接合領域２２２に向かって「後戻り」してもよい。接合領域２２２の外側の弾性体５２の一部は、カフ２６に接合しなくてもよく、これによって、接合領域２２２の外側のカフ２６の領域に弾性力を付与しない。接合領域２２２は、長手方向（すなわち、長手方向軸線２０を中心とする方向）中央において、弾性体５２の上に位置してもよい。別の言い方をすれば、接合領域２２２は、横方向軸線１２に対して対称性を示すことができる。他の場合、接合領域２２２は、横方向軸線１２に対して対称性を示さなくてもよく、あるいは横方向軸線１２に交差もしなくてもよい。この例では、接合領域２２２は、横方向軸線１２の第１の側に完全に位置付けられてもよく、あるいは横方向軸線１２の第２の側に完全に位置付けられてもよい。２つ以上の接合領域２２２が、単一のカフ２６に対して存在してもよい。単一の弾性体５２では、一方の接合領域は、横方向軸線１２の第１の側にあってもよく、第２の接合領域は、横方向軸線１２の第２の側にあってもよい。接合領域２２２は、長手方向軸線１４と概ね平行な方向に延在する、約０．２５インチ〜約１０インチ、約０．５インチ〜約７インチ、約１インチ〜約６インチ、約１インチ〜約５インチ、又は約１インチ〜約４インチの長さを有してもよく、具体的には、指定した範囲及び範囲内に又は範囲によって形成されるすべての範囲内の０．１インチ刻みの数値がすべて挙げられる。特定の吸収性物品１０における接合領域２２２のある長手方向の長さは、吸収性物品１０のサイズ及び／又は吸収性物品１０の目的の使用に依存し得る。接合領域２２２は、例えば、１種以上の接着剤及び／又は１種以上の機械的結合、超音波結合及び／又は熱結合を含み、接合領域２２２内の弾性体５２をカフ２６に接合することができる。接合領域２２２は、単に図示の目的のために、矩形ブロックとして図示されているが、他の好適な形状が、本開示の範囲内にある。弾性体５２は、カフ２６に接合されるとき、予歪み状態であってもよく、予歪み状態が解放されると、接合領域２２２を有効化する。場合によっては、弾性体５２は、接合領域２２２を通って長手方向にだけ延びてもよく、予歪み状態であってもよい。カフ２６は、１種以上の材料又は不織布材料から形成され得る。１種だけの材料を使用する場合、その材料は、弾性体５２を囲い込むように材料自体が折り重ねられてもよい。２つの材料を使用する場合、材料は、これらの材料の間に弾性体を挟んでもよい。接合領域２２２は、図３７に示すように、間に予歪み状態の弾性体５２Ｐを有する２つ以上の別個の結合部２２２’であってもよい。弾性体５３は、設けられる場合、本段落に記載された弾性体５２と同一又は異なる特徴を有していてもよい。他の例では、弾性体５３だけが、弾性体５２に関して本段落で記載された特徴を有してもよい。弾性体５２及び／又は５３に１つ以上の接合領域２２２を設けることによって、吸収パッドは、第１の端縁部２８を第２の端縁部３０に向けることによりＵ字形状を形成することができる。これにより、より良好に排泄物を収容することができる。このＵ字形状の例示的な吸収性物品は、図３６に示されている。
【００７７】
他の例において、接合領域２２２は、設けられなくてもよく、カフは、第１の不織布基材又は第１の基材、及び、第２の不織布基材又は第２の基材を含んでもよい。第１の不織布基材及び第２の不織布基材は、様々な長手方向予歪み力で互いに接合され得る。このように、これらの予歪み力が解放されると、カフは収縮し、図３６の上の吸収性物品のような構造を形成することができる。第１の基材及び第２の基材のうちの一方における１つの予歪み力は、無視できるほどであってもよく、あるいはゼロであってもよい。
【００７８】
図３７を参照して、本明細書に開示された吸収性物品１０のうちの任意の吸収性コア４０は、吸収性コア４０に開口２００が画定されていてもよい。任意の好適な数の開口が設けられてもよく、開口２００は、例えば、円形又は卵形のような任意の好適な形状を有してもよい。開口２００はまた、任意の好適なサイズを有してもよい。開口２００は、すべて同じサイズ及び／又は形状であってもよく、あるいはサイズ及び／又は形状が異なっていてもよい。開口２００は、吸収性コア４０内に均一に又は不均一に分散していてもよい。開口２００により、吸収性コアはより可撓性となり、吸収性コアは、より容易に折れ曲がり、又は屈曲することができる。吸収性コアは、本明細書で検討されたような形状であってもよい。
【００７９】
図３８を参照して、本明細書に開示された吸収性物品１０のうちの任意の吸収性コア４０は、スロット２０２が吸収性コア４０に画定されていてもよい。任意の好適な数のスロット２０２が設けられてもよく、スロット２０２。スロット２０２は、すべて、サイズ及び／又は形状が同じであってもよく、あるいはサイズ及び／又は形状が異なっていてもよい。スロット２０２は、直線又は非直線であっても、連続的又は非連続的であってもよい。スロット２０２は、任意の好適な方向に延在してもよい。スロット２０２は、任意の好適な幅を有してよい。場合によっては、スロット２０２は、その作製の際に除去された材料を有していなくてもよいが、吸収性コア３６において切断線となるのみであってもよい。スロット２０２は、吸収性コア４０内に均一に又は不均一に分散していてもよい。スロット２０２により、吸収性コア４０はより可撓性となり、吸収性コア４０は、より容易に折れ曲がり、又は屈曲することができる。吸収性コアは、本明細書で検討されたような形状であってもよい。
【００８０】
上述のように、それぞれが第１の締着部（例えば、本明細書の１１０）及び第２の締着部（例えば、本明細書の１１２）をそれぞれ有する１つ又は２つの取り外し可能な締着部材（例えば、本明細書の１００）を有する吸収性物品が提供されることが所望され得る。第１及び第２の締着部は、フック、ループ、接着剤、粘着剤、及び／又は本明細書に記載される他の材料を含み得る。取り外し可能な締着部材のそれぞれの第１の締着部は、吸収性物品の第２の、又は後側腰部領域に取り付けることができる。取り外し可能な締着部材のそれぞれの第２の締着部は、それ自体に取り付けることができ（加工を容易にするため）、吸収性物品の第１の、又は前側腰部領域への取り付け部を有さなくてもよい。第２の締着部は、吸収性材料の別の部分に取り付けることができる。第１の締着部は、機械によって後側腰部領域に取り付けることができ、第２の締着部は、適用時に介護者によって前側腰部領域に取り付けることができる。第１の締着部を前側腰部領域に取り付けるには、低い引張力で高い伸張率を有する締着部材が与えられることが所望され得る。第１に、これは、第２の締着部の後側腰部領域への取り付けが妨げられないようにするうえで役立つ（すなわち、「ポロリと外れること」を低減するのに役立つ）。第２に、これは、引張力によって乳児が動かない、又は滑らないようにするうえで役立つ。
【００８１】
本開示の吸収性物品は、少なくとも１つの完全に取り外し可能な締着部材又は２個の完全に取り外し可能な締着部材の提供／使用により、大幅に調節可能な腰部外周を有することができる。完全に取り外し可能な締着部材の締着部は、任意の位置、すなわち着用者の臀部外周に沿ってなどの腰部外周に近接した任意の位置に取り付けることができるため、腰部外周又は臀部外周は、異なる腰部又は臀部外周を有する広範囲の着用者に適合するように大幅に調節可能となり得る。吸収性物品に小さな腰部又は臀部開口部の外周を与えるには、取り外し可能な締着部材を１個のみ使用することができる。他の場合では、２個の取り外し可能な締着部材を使用することができ、これらは互いに部分的に重なり合っていてもいなくてもよい。別の言い方をすれば、締着部材が吸収性物品の腰部開口部に近接したリングを形成する場合、第１の取り外し可能な締着部材が、第２の取り外し可能な締着部材と重なり合うリングの領域が存在し得る。かかる場合では、第１の取り外し可能な締着部材の締着部を吸収性物品の着用者対向面に取り付けることができ、第２の締着部材の一方の締着部を第１の締着部材の衣類対向面に取り付け、他方の締着部を吸収性物品の衣類対向面に取り付けることができる。吸収性物品のより大きな腰部開口部の外周を与えるには、取り外し可能な締着部材同士は、概ね互いに重なり合わない。かかる場合では、取り外し可能な締着部材は腰部開口部の外周を可能な限り大きくするような形で取り付けられ、それ自体が腰部開口部の外周の一部を形成する。
【００８２】
図３９〜４３を参照すると、様々な構成で取り付けられた取り外し可能な締着部材を有する腰部開口部の構成の例示的な平面図が示されている。図３９〜４３のすべてにおいて、吸収性物品は、第１の、又は前側腰部領域１６と、後側又は第２の腰部領域１８と、それぞれが第１の締着部１１０と第２の締着部１１２とを有する１つ以上の取り外し可能な締着部材１００と、を有している。図３９を参照すると、単一の取り外し可能な締着部材１００を使用して、前側腰部領域１６を後側腰部領域１８と接合することができる。この構成では、小さな腰部又は臀部開口の外周が実現される。単一の取り外し可能な締着部材１００は、それ自体と重なり合うことで更により小さい腰部又は臀部開口部の外周を形成することができる。別の言い方をすれば、締着部１１０は、締着部１１２が吸収性物品の衣類対向面に取り付けられた状態で、単一の取り外し可能な締着部材１００の着用者対向面と係合することができる。図４０を参照すると、やはり単一の取り外し可能な締着部材１００を使用して前側腰部領域１６と後側腰部領域１８とを接合することができる。この構成では、図３９に対してより大きな腰部又は臀部開口部の外周が実現される。図４１を参照すると、やはり単一の取り外し可能な締着部材１００を使用して前側腰部領域１６と後側腰部領域１８とを接合することができる。この構成では、図４０の腰部又は臀部開口部の外周に対してより大きな腰部又は臀部開口部の外周が実現される。図４２を参照すると、２個の取り外し可能な締着部材１００を使用して前側腰部領域１６と後側腰部領域１８とを接合することができる。この構成では、比較的小さい腰部又は臀部の外周が実現される。図４２Ａを参照すると、２個の取り外し可能な締着部材１００は、互いに重なり合うことによって更により小さい腰部又は臀部開口部の外周を実現することができる。かかる状況では、第１の取り外し可能な締着部材１００の締着部１１０及び／又は１１２の一方又は両方が、他の取り外し可能な締着部材１００の衣類対向面と係合することができる。図４３を参照すると、２個の取り外し可能な締着部材１００を使用して前側腰部領域１６と後側腰部領域１８とを接合することができる。この構成では、図４２の腰部又は臀部開口部の外周と比較して比較的大きな腰部又は臀部の外周が実現される。当業者には、締着部１１０及び／又は１１２を他の位置に取り付けることで、他の腰部又は臀部開口部の外周を実現することもできる点は認識されよう。当業者には、取り外し可能な締着部材１００の伸張率も、特定の着用者において締着部１１０及び／又は１１２をどこに取り付けるべきかを決定するか、又は決定するうえで一定の役割を果たすことができる点も認識されよう。特定の状況では、取り外し可能な締着部材を非伸張状態又は実質的な非伸張状態で使用することで、着用者にかかる圧力を低減することが所望され得る。
【００８３】
調節可能な腰部又は臀部の外周は、例えば、取り外し可能な締着部材が、１個使用されるか又は２個使用されるかに応じて、非伸張状態で、約７０ｍｍ〜約２７５ｍｍ、約１００ｍｍ〜約２５０ｍｍ、約１００ｍｍ〜約２００ｍｍの範囲に適合するように構成するか、又は調節可能とすることができる。
【００８４】
調節可能な腰部又は臀部の外周は、例えば、取り外し可能な締着部材が、１個使用されるか又は２個使用されるかに応じて、伸張状態で、約８０ｍｍ〜約３００ｍｍ、約１００ｍｍ〜約２５０ｍｍ、約１２０ｍｍ〜約２３０ｍｍの範囲に適合するように構成するか、又は調節可能とすることができる。
【００８５】
調節可能な腰部又は臀部の外周は、例えば、単一の取り外し可能な締着部材が使用される場合、約８０ｍｍ〜約１６０ｍｍ、約９０ｍｍ〜約１５０ｍｍ、約１００ｍｍ〜約１５０ｍｍの範囲に適合するように構成するか、又は調節可能とすることができる。
【００８６】
具体的には、上記３つのパラグラフで指定された範囲内の、及びその範囲内に又はその範囲によって形成されるすべての範囲内の０．１ｍｍ刻みのすべての値を記載するものである。
【００８７】
取り外し可能な締着部材の締着部は、場合によっては、本開示の吸収性物品の衣類対向面又は他の表面上の１つ以上の別個のランディングゾーンに取り付けることができる。かかる１つ以上の別個のランディングゾーンは、本開示の吸収性物品の前側若しくは第１の腰部領域、後側若しくは第２の腰部領域、又は股部領域に配置することができる。締着の調節性を与える目的で、１個、２個、３個、４個、５個、６個など、任意の適当な数の別個のランディングゾーンを設けることができる。単一の別個のランディングゾーンを、例えば、吸収性物品の長手方向中心軸線に近接して又は長手方向中心軸線と重なり合うように設けることができる。複数の別個のランディングゾーンを、腰部開口部の外周又は臀部の外周を調節できるように異なる位置に設けることができる。複数の別個のランディングゾーンは、異なるサイズ及び／又は形状、及び／又は同じサイズ及び／又は形状を有してもよい。
【００８８】
図４４を参照すると、締着部３０２（本明細書の締着部１１０及び１１２の一方又は両方を表す）を有する取り外し可能な締着部材３００の一部の例が示されている。図４５を参照すると、例示的な別個のランディングゾーン３０４が示されている。別個のランディングゾーン３０４は、本開示の吸収性物品の着用者対向面上に配置することができる。締着部３０２の形状及び別個のランディングゾーン３０４の形状は、幅広く異なるものとすることができる。例えば、締着部３０２及び／又は別個のランディングゾーン３０４は、楕円形、円形、正方形、長方形、三角形とすることができ、円弧状部分を有してもよく、又は他の適当な形状を有してもよい。形状同士は、互いに一致してもしなくともよい。例えば、締着部３０２を円形とし、別個のランディングゾーンをハート形とすることができる。場合によっては、締着部３０２の総面積は、別個のランディングゾーン３０４の総面積よりも小さいか、総面積よりも７５％小さい、総面積よりも５０％小さいか、又は総面積よりも２５％小さくともよい。これに加えて、又はこれとは別に、締着部３０２の最大寸法Ｄ１は、別個のランディングゾーン３０４の最大寸法Ｄ２よりも小さくともよい。これらの面積及び寸法の概念は、締着部３０２の形状及び別個のランディングゾーン３０４の形状にかかわらず適用することができる。別個のランディングゾーン３０４の最大寸法Ｄ２よりも小さい最大寸法Ｄ１を有する締着部３０２を有することによって、締着部３０２は任意の適当な角度及び／又は向きで別個のランディングゾーン３０４と係合することが可能である。別個のランディングゾーン３０４の総面積よりも小さい総面積を有する締着部３０２を有することによって、締着部３０２は任意の適当な角度及び／又は向きで別個のランディングゾーン３０４と係合することが可能である。総面積及び最大寸法の概念は、締着部及び別個のランディングゾーンに同時に又は独立して適用することができる。
【００８９】
図４６を参照すると、代替的な締着部３０２’（本明細書の締着部１１０及び１１２の一方又は両方を表す）を有する取り外し可能な締着部材３００’の一部の例が示されている。締着部３０２’の総面積は、３個の長方形（又は他の形状）の面積の合計であってよい。ファスナー３０２’の最大寸法は、Ｄ３又はＤ４とすることができる。図４７は、締着部３０２’の別個のランディングゾーン３０４を示す。
【００９０】
図４８を参照すると、締着部３０２を有する取り外し可能な締着部材３００の部分が示されているが、締着部３０２を使用することもできる。図４９を参照すると、締着部３０２（又は３０２’）を受けるように構成された別個のランディングゾーン３０４’が示されている。別個のランディングゾーン３０４’の総面積は、３個の長方形（又は他の形状）の面積の合計であってよい。別個のランディングゾーン３０４’の最大寸法は、Ｄ５又はＤ６であってよい。
【００９１】
吸収性物品の各要素の比
本開示の吸収性物品は、未熟児及び／又はＮＡＳの乳幼児用に設計されているという事実のため、これらの吸収性物品は、そのような小さなユーザ及びユーザの特定のニーズに適合するための異なる要素に対する特別な要件を有している。これらの特別な要件は、これらの着用者にフィットしたより小さいおむつを製造することだけに留まらない。様々な製品の要素及び構成部品、特に取り外し可能な締着部材の特定のサイズ、面積、及び比は、適切なフィット、優れた性能、及び最も重要な点として、小さな着用者にとっての快適性を高めるものである。
【００９２】
以下では、「長さ」とは、本開示の吸収性物品の長手方向軸に対して平行な方向に測定される距離を意味する。「幅」とは、本開示の吸収性物品の横方向軸に対して垂直な方向に測定される距離を意味する。「面積」とは、例えば長方形の長さ×幅のような面積の通常の計算結果を意味する。
【００９３】
締着部の面積（例えば、フックの１領域）
締着部（例えば、１１０，１１２）（例えば、フックの１領域）は、約０．０００１ｍ２〜約０．０００９ｍ２、約０．０００１ｍ２〜約０．０００６ｍ２、又は約０．０００１ｍ２〜約０．０００５ｍ２の範囲の面積を有することができ、具体的には、指定された範囲内の、及び指定された範囲内に又は指定された範囲によって形成されるすべての範囲内の０．０００１ｍ２刻みのすべての値を記載する。
【００９４】
単一の取り外し可能な締着部材の長さと吸収性物品の全長との比
単一の取り外し可能な締着部材の長さと吸収性物品の全長との比は、約０．０７５〜約０．２、又は約０．１０〜約０．１９の範囲であってよく、具体的には、指定された範囲内の、及び指定された範囲内に又は指定された範囲によって形成されるすべての範囲内の０．００１刻みのすべての値を記載する。
【００９５】
単一の取り外し可能な締着部材の幅と吸収性物品の全長との比
単一の取り外し可能な締着部材の幅と吸収性物品の全長との比は、約０．２５〜約０．５０、又は約０．２５〜約０．７５の範囲であってよく、具体的には、指定された範囲内の、及び指定された範囲内に又は指定された範囲によって形成されるすべての範囲内の０．０１刻みのすべての値を記載する。この比により、着用者に作用する力が最小で（例えば、取り外し可能な締着部材がまったく伸張しないか又は伸張が限定的である）、最大の腰部又は臀部開口部の外周が可能となる。
【００９６】
単一の取り外し可能な締着部材の幅と吸収性物品の全幅との比
単一の取り外し可能な締着部材の幅と吸収性物品の全幅との比は、約０．６０〜約１．０、約０．６〜約０．９９、約０．６〜約０．９５、約０．６〜約０．９０の範囲であってよく、具体的には、指定された範囲内の、及び指定された範囲内に又は指定された範囲によって形成されるすべての範囲内の０．０１刻みのすべての値を記載する。この比は、サイズが大きく異なる着用者に対する腰部又は臀部開口部の、外周の最大の調節性を与えるものである。
【００９７】
締着部（例えば、フックの１領域）の長さと吸収性物品の全長との比
締着部の長さ（例えば、フックの１領域）と吸収性物品の全長との比は、約０．０５〜約０．１８、約０．０５〜約０．１５、又は約０．０５〜約０１０の範囲であってよく、具体的には、指定された範囲内の、及び指定された範囲内に又は指定された範囲によって形成されるすべての範囲内の０．０１刻みの値を記載する。この比は、特殊なケアのニーズに適合し、締着部を吸収性物品の衣類対向面に対して、又は取り外し可能な締着部材の衣類対向面に対して安全に締着するための脚及び腰部開口部の周囲のフィットのカスタム化を最大とする助けとなる。
【００９８】
締着部（例えば、フックの１領域）の幅と吸収性物品の全幅との比
締着部（例えば、フックの１領域）の幅と吸収性物品の全幅との比は、約０．１０〜約０．２５，又は約０．１０〜約０．２５の範囲であってよく、具体的には、指定された範囲内の、及び指定された範囲内に又は指定された範囲によって形成されるすべての範囲内の０．０１刻みのすべての値を記載する。この比は、介護者による締着部の締着を容易とするのに役立つ。
【００９９】
締着部（例えば、フックの１領域）の面積と吸収性物品の総面積との比
締着部の（例えば、フックの１領域）の面積と吸収性物品の総面積との比は、約０．０１５〜約０．０４の範囲であってよく、具体的には、指定された範囲内の、及び指定された範囲内に又は指定された範囲によって形成されるすべての範囲内の０．００１刻みのすべての値を記載する。この比は、適切な締着性能を確保しつつ、軽い締着を可能とする。
【０１００】
締着部の総面積（例えば、４個のフック）と吸収性物品の総面積との比
締着部の総面積（例えば、４個のフック）と吸収性物品の総面積との比は、約０．０７〜約０．１５であってよく、具体的には、指定された範囲内の、及び指定された範囲内に形成されるすべての範囲内の０．０１刻みのすべての値を記載する。締着部の総面積は、取り外し可能な締着部材の両方の締着部のすべて、つまり合計で４個の締着部の面積の合計である。
【０１０１】
単一の取り外し可能な締着部材の面積と吸収性物品の総面積との比
単一の取り外し可能な締着部材の面積と吸収性物品の総面積との比は、約０．１１〜約０．１５の範囲であってよく、具体的には、指定された範囲内の、及び指定された範囲内に又は指定された範囲によって形成されるすべての範囲内の０．０１刻みのすべての値を記載する。この比は、腰部開口部の外周における調節性を最大とするものである。
【０１０２】
試験法
すべての試験方法で、試験前の２時間にわたって２３℃±２℃及び５０％±２％の相対湿度で試料を調湿する。
【０１０３】
折り畳み股幅試験
折り畳み股幅（Ｗ）（図１を参照）は、吸収性物品試料を、前後腰縁部を位置合わせし、かつ対応する側縁部を互いに位置合わせするように折り曲げることにより、測定される。ＮＩＳＴにより認証された較正されたルーラを使用して、試料の外側表面の横方向幅を折り目に沿って（四捨五入して）０．１ｍｍ単位で測定及び記録する。実質的に類似した１０個の吸収性物品試料について、この手順を繰り返す。１０個の個別の折り畳み股幅（Ｗ）測定値を共に平均し、値を（四捨五入して）０．１ｍｍ単位で報告する。
【０１０４】
折り畳み股角度試験
折り畳み股角度（Ａ）（図１を参照）は、吸収性物品試料を、前後腰部縁部を位置合わせし、かつ対応する側縁部を互いに位置合わせするように折り曲げることにより測定される。ＮＩＳＴ測定基準により認定された較正された分度器を使用して、折り畳み試料の横方向軸線に対する試料の２つの角度が付いた部分６３（図１を参照）の角度（Ａ）を（四捨五入して）０．１度単位で記録する。実質的に類似した１０個の吸収性物品試料について、この手順を繰り返す。２０個の個別の折り畳み股角度（Ａ）の測定値を共に平均し、値を（四捨五入して）０．１度単位で報告する。
【０１０５】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【０１０６】
相互参照される又は関連特許若しくは出願のいずれをも含めた、本明細書に引用されているすべての文書は、明示的に除外される、又は特に限定されない限り、その全体が本明細書に参照として組み込まれる。いかなる文献の引用も、それが本明細書で開示若しくは請求される任意の実施形態に関する先行技術であること、又はそれが単独で若しくは任意の他の参照（単数又は複数）との任意の組み合わせで任意のこのような実施形態を教示、提案、若しくは開示することを認めるものではない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１０７】
本開示の特定の実施形態が図示及び説明されたが、本開示の趣旨及び範囲から逸脱することなく様々な他の変更及び修正を行い得ることは、当業者には明白であろう。したがって、本開示の範囲内に属するすべてのこのような変更及び修正は、添付の特許請求の範囲にて網羅することを意図したものである。
【図１】
2020531113.tif 000004
【図２】
2020531113.tif 000005
【図３】
2020531113.tif 000006
【図４】
2020531113.tif 000007
【図５】
2020531113.tif 000008
【図６】
2020531113.tif 000009
【図７】
2020531113.tif 000010
【図８】
2020531113.tif 000011
【図９】
2020531113.tif 000012
【図９Ａ】
2020531113.tif 000013
【図１０】
2020531113.tif 000014
【図１１】
2020531113.tif 000015
【図１２】
2020531113.tif 000016
【図１３】
2020531113.tif 000017
【図１４】
2020531113.tif 000018
【図１５】
2020531113.tif 000019
【図１６】
2020531113.tif 000020
【図１７】
2020531113.tif 000021
【図１８】
2020531113.tif 000022
【図１９】
2020531113.tif 000023
【図２０】
2020531113.tif 000024
【図２１】
2020531113.tif 000025
【図２２】
2020531113.tif 000026
【図２３】
2020531113.tif 000027
【図２４】
2020531113.tif 000028
【図２５】
2020531113.tif 000029
【図２６】
2020531113.tif 000030
【図２７】
2020531113.tif 000031
【図２８】
2020531113.tif 000032
【図２９】
2020531113.tif 000033
【図３０】
2020531113.tif 000034
【図３１】
2020531113.tif 000035
【図３２】
2020531113.tif 000036
【図３２Ａ】
2020531113.tif 000037
【図３３】
2020531113.tif 000038
【図３４】
2020531113.tif 000039
【図３５】
2020531113.tif 000040
【図３６】
2020531113.tif 000041
【図３７】
2020531113.tif 000042
【図３８】
2020531113.tif 000043
【図３９】
2020531113.tif 000044
【図４０】
2020531113.tif 000045
【図４１】
2020531113.tif 000046
【図４２】
2020531113.tif 000047
【図４２Ａ】
2020531113.tif 000048
【図４３】
2020531113.tif 000049
【図４４】
2020531113.tif 000050
【図４５】
2020531113.tif 000051
【図４６】
2020531113.tif 000052
【図４７】
2020531113.tif 000053
【図４８】
2020531113.tif 000054
【図４９】
2020531113.tif 000055
【国際調査報告】
2020531113.tif 000056
2020531113.tif 000057
2020531113.tif 000058